(57)【特許請求の範囲】
【請求項１】
アクセス・ポイントにおいて、前記アクセス・ポイントによってサービスされるアクセス端末が第１のモードで動作しているのか、または第２のモードで動作しているのかを判断することであって、前記第１のモードでは、非ユニキャスト・パケットに対して前記アクセス端末をページングすべきであり、前記第２のモードでは、非ユニキャスト・パケットに対して前記アクセス端末をページングすべきでない、判断することと、
前記アクセス・ポイントにおいて前記アクセス端末に宛てられたパケットを受信することと、
前記受信パケットのパケットタイプを判断することであって、前記受信パケットが非ユニキャスト・パケットであるかどうかを前記パケットタイプが指示する、判断することと、
前記判断されたタイプと前記アクセス端末が前記第１のモードで動作しているのか、または前記第２のモードで動作しているのかの前記判断とに基づいて、前記パケットの前記受信の結果として前記アクセス端末をページングすべきかどうかを判断することと、
を備える通信の方法。
【請求項２】
前記アクセス端末が前記第１の動作モードで動作しているのか、または前記第２のモードで動作しているのかの前記判断が、レイヤ２プロトコルを介して前記アクセス端末から動作モード指示を受信することを備える請求項１に記載の方法。
【請求項３】
前記アクセス端末が前記第１の動作モードで動作しているのか、または前記第２のモードで動作しているのかの前記判断が、レイヤ３プロトコルを介して前記アクセス端末から動作モード指示を受信することを備える請求項１に記載の方法。
【請求項４】
前記非ユニキャスト・パケットがブロードキャスト・パケットである請求項１に記載の方法。
【請求項５】
前記アクセス・ポイントが接続されたローカル・ネットワークから前記パケットを受信する請求項１に記載の方法。
【請求項６】
前記ローカル・ネットワークが、
ローカル・エリア・ネットワーク、または
セルラー・ネットワークを介してアクセスされないインターネット接続を備える請求項５に記載の方法。
【請求項７】
アクセス・ポイントにおいて、前記アクセス・ポイントによってサービスされるアクセス端末が第１のモードで動作しているのか、または第２のモードで動作しているのかを判断するように構成されたモード・コントローラであって、前記第１のモードでは、非ユニキャスト・パケットに対して前記アクセス端末をページングすべきであり、第２のモードでは、非ユニキャスト・パケットに対して前記アクセス端末をページングすべきでない、モード・コントローラと、
前記アクセス・ポイントにおいて前記アクセス端末に宛てられたパケットを受信するように構成され、さらに、前記受信パケットのパケットタイプを判断するように構成されたパケットプロセッサであって、前記受信パケットが非ユニキャスト・パケットであるかどうかを前記パケットタイプが指示する、パケットプロセッサと、
前記判断されたタイプと前記アクセス端末が前記第１のモードで動作しているのか、または前記第２のモードで動作しているのかの前記判断とに基づいて、前記パケットの前記受信の結果として前記アクセス端末をページングすべきかどうかを判断するように構成されたページング・コントローラと、
を備える通信のための装置。
【請求項８】
前記アクセス端末が前記第１の動作モードで動作しているのか、または前記第２のモードで動作しているのかの前記判断が、レイヤ２プロトコルを介して前記アクセス端末から動作モード指示を受信することを備える請求項７に記載の装置。
【請求項９】
前記アクセス端末が前記第１の動作モードで動作しているのか、または前記第２のモードで動作しているのかの前記判断が、レイヤ３プロトコルを介して前記アクセス端末から動作モード指示を受信することを備える請求項７に記載の装置。
【請求項１０】
前記アクセス・ポイントが接続されたローカル・ネットワークから前記パケットを受信する請求項７に記載の装置。
【請求項１１】
アクセス・ポイントにおいて、前記アクセス・ポイントによってサービスされるアクセス端末が第１のモードで動作しているのか、または第２のモードで動作しているのかを判断するための手段であって、前記第１のモードでは、非ユニキャスト・パケットに対して前記アクセス端末をページングすべきであり、前記第２のモードでは、非ユニキャスト・パケットに対して前記アクセス端末をページングすべきでない、判断するための手段と、
前記アクセス・ポイントにおいて前記アクセス端末に宛てられたパケットを受信するための手段と、
前記受信パケットのパケットタイプを判断するための手段であって、前記受信パケットが非ユニキャスト・パケットであるかどうかを前記パケットタイプが指示する、判断するための手段と、
前記判断されたタイプと前記アクセス端末が前記第１のモードで動作しているのか、または前記第２のモードで動作しているのかの前記判断とに基づいて、前記パケットの前記受信の結果として前記アクセス端末をページングすべきかどうかを判断するための手段と、
を備える通信のための装置。
【請求項１２】
前記アクセス端末が前記第１の動作モードで動作しているのか、または前記第２のモードで動作しているのかの前記判断が、レイヤ２プロトコルを介して前記アクセス端末から動作モード指示を受信することを備える請求項１１に記載の装置。
【請求項１３】
前記アクセス端末が前記第１の動作モードで動作しているのか、または前記第２のモードで動作しているのかの前記判断が、レイヤ３プロトコルを介して前記アクセス端末から動作モード指示を受信することを備える請求項１１に記載の装置。
【請求項１４】
前記アクセス・ポイントが接続されたローカル・ネットワークから前記パケットを受信する請求項１１に記載の装置。
【請求項１５】
アクセス・ポイントにおいて、前記アクセス・ポイントによってサービスされるアクセス端末が第１のモードで動作しているのか、または第２のモードで動作しているのかを判断することであって、前記第１のモードでは、非ユニキャスト・パケットに対して前記アクセス端末をページングすべきであり、前記第２のモードでは、非ユニキャスト・パケットに対して前記アクセス端末をページングすべきでない、判断することと、
前記アクセス・ポイントにおいて前記アクセス端末に宛てられたパケットを受信することと、
前記受信パケットのパケットタイプを判断することであって、前記受信パケットが非ユニキャスト・パケットであるかどうかを前記パケットタイプが指示する、判断することと、
前記判断されたタイプと前記アクセス端末が前記第１のモードで動作しているのか、または前記第２のモードで動作しているのかの前記判断とに基づいて、前記パケットの前記受信の結果として前記アクセス端末をページングすべきかどうかを判断することと、
をコンピュータに行わせるためのコードを備えるコンピュータ可読記録媒体。
【請求項１６】
前記アクセス端末が前記第１の動作モードで動作しているのか、または前記第２のモードで動作しているのかの前記判断が、レイヤ２プロトコルを介して前記アクセス端末から動作モード指示を受信することを備える請求項１５に記載のコンピュータ可読記録媒体。
【請求項１７】
前記アクセス端末が前記第１の動作モードで動作しているのか、または前記第２のモードで動作しているのかの前記判断が、レイヤ３プロトコルを介して前記アクセス端末から動作モード指示を受信することを備える請求項１５に記載のコンピュータ可読記録媒体。
【請求項１８】
前記アクセス・ポイントが接続されたローカル・ネットワークから前記パケットを受信する請求項１５に記載のコンピュータ可読記録媒体。
【請求項１９】
アクセス端末において、第１のモードで動作するのか、または第２のモードで動作するのかを選択することであって、前記第１のモードでは、非ユニキャスト・パケットに対して前記アクセス端末をページングすべきであり、前記第２のモードでは、非ユニキャスト・パケットに対して前記アクセス端末をページングすべきでない、選択することと、
前記アクセス端末をサービスするアクセス・ポイントに前記選択の指示を送信することと、
を備える通信の方法。
【請求項２０】
前記選択が、前記アクセス端末上で実行されるアプリケーションによって自律的に実行される請求項１９に記載の方法。
【請求項２１】
前記選択が、前記アクセス端末のユーザ入力デバイスから信号を受信することを備える請求項１９に記載の方法。
【請求項２２】
前記選択が、前記アクセス・ポイントが接続されたローカル・ネットワークからリソースにアクセスするという決定に基づく、請求項１９に記載の方法。
【請求項２３】
前記ローカル・ネットワークが、
ローカル・エリア・ネットワーク、または
セルラー・ネットワークを介してアクセスされないインターネット接続を備える請求項２２に記載の方法。
【請求項２４】
前記指示がレイヤ２プロトコルを介して送信される請求項１９に記載の方法。
【請求項２５】
前記指示がレイヤ３プロトコルを介して送信される請求項１９に記載の方法。
【請求項２６】
アクセス・ポイントにおいて、第１のモードで動作するのか、または第２のモードで動作するのかを選択するように構成されたモード・コントローラであって、前記第１のモードでは、非ユニキャスト・パケットに対して前記アクセス端末をページングすべきであり、前記第２のモードでは、非ユニキャスト・パケットに対して前記アクセス端末をページングすべきでない、モード・コントローラと、
前記アクセス端末をサービスするアクセス・ポイントに前記選択の指示を送信するように構成された通信コントローラと、
を備える通信のための装置。
【請求項２７】
前記選択が、前記アクセス端末上で実行されるアプリケーションによって自律的に実行される請求項２６に記載の装置。
【請求項２８】
前記選択が、前記アクセス端末のユーザ入力デバイスから信号を受信することを備える請求項２６に記載の装置。
【請求項２９】
前記選択が、前記アクセス・ポイントが接続されたローカル・ネットワークからリソースにアクセスするという決定に基づく、請求項２６に記載の装置。
【請求項３０】
アクセス・ポイントにおいて、第１のモードで動作するのか、または第２のモードで動作するのかを選択するための手段であって、前記第１のモードでは、非ユニキャスト・パケットに対して前記アクセス端末をページングすべきであり、前記第２のモードでは、非ユニキャスト・パケットに対して前記アクセス端末をページングすべきでない、選択するための手段と、
前記アクセス端末をサービスするアクセス・ポイントに前記選択の指示を送信するための手段と、
を備える通信のための装置。
【請求項３１】
前記選択が、前記アクセス端末上で実行されるアプリケーションによって自律的に実行される請求項３０に記載の装置。
【請求項３２】
前記選択が、前記アクセス端末のユーザ入力デバイスから信号を受信することを備える請求項３０に記載の装置。
【請求項３３】
前記選択が、前記アクセス・ポイントが接続されたローカル・ネットワークからリソースにアクセスするという決定に基づく、請求項３０に記載の装置。
【請求項３４】
アクセス・ポイントにおいて、第１のモードで動作するのか、または第２のモードで動作するのかを選択することであって、前記第１のモードでは、非ユニキャスト・パケットに対して前記アクセス端末をページングすべきであり、前記第２のモードでは、非ユニキャスト・パケットに対して前記アクセス端末をページングすべきでない、選択することと、
前記アクセス端末をサービスするアクセス・ポイントに前記選択の指示を送信することと
をコンピュータに行わせるコードを備えるコンピュータ可読記録媒体。
【請求項３５】
前記選択が、前記アクセス端末上で実行されるアプリケーションによって自律的に実行される請求項３４に記載のコンピュータ可読記録媒体。
【請求項３６】
前記選択が、前記アクセス端末のユーザ入力デバイスから信号を受信することを備える請求項３４に記載のコンピュータ可読記録媒体。
【請求項３７】
前記選択が、前記アクセス・ポイントが接続されたローカル・ネットワークからリソースにアクセスするという決定に基づく、請求項３４に記載のコンピュータ可読記録媒体。
【発明の詳細な説明】
【技術分野】
【０００１】
本出願は、一般にワイヤレス通信に関し、より詳細には、限定はしないが、効率的なローカル・アクセスを可能にすることに関する。
【０００２】
優先権の主張
本出願は、その開示が参照により本明細書に組み込まれる、２００８年７月９日に出願され、弁理士整理番号第０８１９８９Ｐ１号を付与された、同一出願人が所有する米国特許仮出願第６１／０７９，３８１号の利益および優先権を主張する。
【背景技術】
【０００３】
序論
ワイヤレス通信システムは、様々なタイプの通信（たとえば、ボイス、データ、マルチメディア・サービスなど）を複数のユーザに提供するために広く展開されている。高速なマルチメディア・データサービスの需要が急速に増大するにつれて、向上したパフォーマンスをもつ効率的でロバストな通信システムを実装することが課題となっている。
【０００４】
従来のモバイル電話ネットワーク基地局を補うために、小カバレージ基地局を展開（たとえば、ユーザの家庭に設置）して、よりロバストな屋内ワイヤレスカバレージをモバイルアクセス端末に与えることができる。そのような小カバレージ基地局は、アクセス・ポイント基地局、ホームｅＮｏｄｅＢ（「ＨｅＮＢ」）、またはホーム・フェムトと呼ばれることがある。一般に、そのような小カバレージ基地局は、ＤＳＬルータまたはケーブルモデムを介してインターネットおよびモバイル・オペレータのネットワークに接続される。
【０００５】
場合によっては、１つまたは複数のローカル・サービスを小カバレージ基地局と同じロケーションに展開することができる。たとえば、ユーザは、ローカル・コンピュータ、ローカル・プリンタ、サーバ、および他の構成要素をサポートするホーム・ネットワークを有することがある。そのような場合、小カバレージ基地局を介してこれらのローカル・サービスへのアクセスを提供することが望ましい。たとえば、ユーザが自宅にいるとき、ユーザが、ユーザのセルフォンを使用してローカル・プリンタにアクセスすることを望むことがある。
【０００６】
一般に、ホーム・ネットワーク上のデバイスは、ホームルータ内のファイアウォールとネットワーク・アドレス変換（「ＮＡＴ」）とによって保護されており、アクセス端末は、ホーム・ネットワークの観点からパブリック・インターネット上のノードのように見えるので、インターネット対応アクセス端末は、このデバイスと通信することができないことがある。ポートフォワーディングを使用することによって一部のホームデバイスへの制限付きアクセスを可能にする方法があるが、これは、ワイヤレス・アクセス端末ユーザの能力を超えていると考えられる、デバイスと、関連するアプリケーションと、ホームルータ機器とに関する詳細な技術的知識を必要とする。したがって、ローカル・サービスにアクセスするための効率的で有効的な方法が必要である。
【発明の概要】
【０００７】
本開示の例示的な態様の概要について以下で説明する。本明細書における態様という用語への言及は、本開示の１つまたは複数の態様を指すことがあることを理解されたい。
【０００８】
本開示は、いくつかの態様では、ワイヤレス・ワイドエリア・ネットワーク中でローカル・サービスへのアクセスを提供することに関連してページングと電力消費量とを管理すること関する。たとえば、モバイル・ネットワーク（たとえば、セルラー・ネットワーク）中に展開されたアクセス端末が、ローカル・ネットワーク・アクセス（ローカル・ブレークアウトとしても知られる）を提供するアクセス・ポイント（たとえば、ＨｅＮＢ）によってサービスされているとき、アクセス端末はそのようなローカル・サービスにアクセスすることができる。
【０００９】
本開示は、いくつかの態様では、アクセス端末に宛てられたローカル・ブレークアウト・パケットがアクセス・ポイントにおいて受信された場合にアクセス端末をページングすることを可能にすることに関する。いくつかの実装形態では、そのようなパケットを受信すると、アクセス・ポイントは、（たとえば、コアオペレータ・ネットワークの）ネットワーク・ページング管理エンティティを通知し、その結果、このエンティティによりアクセス・ポイントがアクセス端末をページングするようになる。代替的に、いくつかの実装形態では、アクセス・ポイントは、アクセス端末のアイドル・コンテキストを維持し、それにより、アクセス・ポイントは、アクセス端末を自律的に（すなわち、ネットワーク・ページング管理エンティティを必要とすることなしに）ページングすることができる。このようにして、ネットワークは、ローカル・ブレークアウトのページング関連動作を軽減される。
【００１０】
本開示は、いくつかの態様では、アクセス端末に送信されるページまたはパケットの数を低減するためにローカル・ブレークアウト・トラフィックをフィルタ処理することに関する。いくつかの実装形態では、アクセス端末にローカル・ブレークアウトを提供するアクセス・ポイントは、アクセス端末に宛てられたいくつかのローカル・ブレークアウト・パケットをフィルタ処理することができる。たとえば、非ユニキャスト・パケットを受信すると、アクセス・ポイントは、（アクセス端末がアイドル・モードにある場合は）そのアクセス端末をページングしないか、あるいはアクセス・ポイントは、（アクセス端末がアクティブ・モードにある場合は）そのアクセス端末にパケットを配信しない。いくつかの実装形態では、ローカル・ブレークアウトを提供するアクセス・ポイントは、アクセス端末に宛てられたローカル・ブレークアウト・パケットをアクセス端末の現在の動作モードに基づいて選択的にフィルタ処理することができる。たとえば、非ユニキャスト・パケットをアクセス端末に配信すべきであるかどうかに関する選択をアクセス端末において（たとえば、ユーザまたはアプリケーションによって）行い、その後、この選択の指示（たとえば、アクセス端末の現在の動作モード）をアクセス・ポイントに送信する。
【００１１】
本開示は、いくつかの態様では、アクセス端末をページングするときに、そのアクセス端末がパケットを受信すべきかどうかを決定することができるように、パケットタイプの指示を提供することに関する。ここで、アクセス端末に宛てられたローカル・ブレークアウト・パケットを受信すると、アクセス・ポイントは、パケットのタイプを判断し、アクセス端末をページングするときにこのタイプの指示を含める。このページを受信すると、アクセス端末は、このパケットを受信すべきかどうかを決定する（たとえば、パケットを受信するためにアクティブ・モードに切り替わり、アクセス・ポイントと交信すべきかどうかを決定する）ことができる。
【００１２】
本開示は、いくつかの態様では、ローカル・リンク・インターフェースを選択的に無効化または有効化することによってローカル・ブレークアウトに関連するトラフィック負荷を低減することに関する。たとえば、ローカル・リンクが定義された時間期間の間アイドル状態にあった場合に、リンク・インターフェースを一時的に無効化することができる。
【００１３】
本開示のこれらおよび他の例示的な態様について、以下の詳細な説明および添付の特許請求の範囲、ならびに添付の図面において説明する。
【図面の簡単な説明】
【００１４】
【図１】ローカル・ブレークアウトを提供することに関連してページングと電力消費量とが管理される通信システムのいくつかの例示的な態様の簡略ブロック図。
【図２】ローカル・ブレークアウトを提供することに関連してページングと電力消費量とを管理するために実行される動作のいくつかの例示的な態様のフローチャート。
【図３】ローカル・ブレークアウトを提供することに関連して通信ノード中で採用される構成要素のいくつかの例示的な態様の簡略ブロック図。
【図４】ローカル・ブレークアウト・パケットの受信に応答してネットワークを介してアクセス端末をページングすることに関連して実行される動作のいくつかの例示的な態様のフローチャート。
【図５】ローカル・ブレークアウト・パケットの受信に応答してアクセス・ポイントによるアクセス端末の自律的ページングを行うことに関連して実行される動作のいくつかの例示的な態様のフローチャート。
【図６】アクセス端末に宛てられたローカル・ブレークアウト・パケットをフィルタ処理することに関連して実行される動作のいくつかの例示的な態様のフローチャート。
【図７】アクセス端末に宛てられたローカル・ブレークアウト・パケットをアクセス端末の動作モードに基づいて選択的にフィルタ処理することに関連して実行される動作のいくつかの例示的な態様のフローチャート。
【図８】宛先アクセス端末をページングするときに、そのアクセス端末がパケットを受信すべきかどうかを決定することができるように受信ローカル・ブレークアウト・パケットタイプの指示を送信することに関連して実行される動作のいくつかの例示的な態様のフローチャート。
【図９】ローカル・リンクを無効化することに関連して実行される動作のいくつかの例示的な態様のフローチャート。
【図１０】ワイヤレス通信システムの簡略図。
【図１１】フェムト・ノードを含むワイヤレス通信システムの簡略図。
【図１２】ワイヤレス通信用のカバレージ・エリアを示す簡略図。
【図１３】通信構成要素のいくつかの例示的な態様の簡略ブロック図。
【図１４】本明細書で教示する、ローカル・ブレークアウト動作を提供するように構成された装置のいくつかの例示的な態様の簡略ブロック図。
【図１５】本明細書で教示する、ローカル・ブレークアウト動作を提供するように構成された装置のいくつかの例示的な態様の簡略ブロック図。
【図１６】本明細書で教示する、ローカル・ブレークアウト動作を提供するように構成された装置のいくつかの例示的な態様の簡略ブロック図。
【図１７】本明細書で教示する、ローカル・ブレークアウト動作を提供するように構成された装置のいくつかの例示的な態様の簡略ブロック図。
【図１８】本明細書で教示する、ローカル・ブレークアウト動作を提供するように構成された装置のいくつかの例示的な態様の簡略ブロック図。
【図１９】本明細書で教示する、ローカル・ブレークアウト動作を提供するように構成された装置のいくつかの例示的な態様の簡略ブロック図。
【図２０】本明細書で教示する、ローカル・ブレークアウト動作を提供するように構成された装置のいくつかの例示的な態様の簡略ブロック図。
【図２１】本明細書で教示する、ローカル・ブレークアウト動作を提供するように構成された装置のいくつかの例示的な態様の簡略ブロック図。
【発明を実施するための形態】
【００１５】
慣例により、図面中に示された様々な特徴は一定の縮尺で描かれていないことがある。したがって、様々な特徴の寸法は、分かりやすいように任意に拡大または縮小されることがある。さらに、図面のいくつかは、分かりやすいように簡略化されることがある。したがって、図面は、所与の装置（たとえば、デバイス）または方法の構成要素のすべてを示しているわけではない。最後に、明細書および図の全体にわたって同じ特徴を示すために同じ参照番号が使用されることがある。
【００１６】
本開示の様々な態様について以下で説明する。本明細書の教示は多種多様な形態で実施でき、本明細書で開示されている特定の構造、機能、またはその両方は代表的なものにすぎないことは明らかであろう。本明細書の教示に基づいて、本明細書で開示される態様は他の態様とは独立に実装できること、およびこれらの態様のうちの２つ以上を様々な方法で組み合わせることができることを、当業者なら諒解されたい。たとえば、本明細書に記載の態様をいくつ使用しても、装置を実現し、または方法を実施することができる。さらに、本明細書に記載の態様のうちの１つまたは複数に加えて、あるいはそれら以外の他の構造、機能、または構造および機能を使用して、そのような装置を実現し、またはそのような方法を実施することができる。さらに、態様は、請求項の少なくとも１つの要素を備えることができる。
【００１７】
図１に、例示的な通信システム１００（たとえば、ワイヤレス・ワイドエリア・ネットワークの一部分）のいくつかのノードを示す。説明のために、本開示の様々な態様について、互いに通信する１つまたは複数のアクセス端末、アクセス・ポイント、およびネットワーク・ノードの文脈で説明する。ただし、本明細書の教示は、他のタイプの装置、または他の用語を使用して参照される他の同様の装置に適用可能であることを諒解されたい。たとえば、様々な実装形態では、アクセス・ポイントを基地局、ｅＮｏｄｅＢ、またはＨｅＮＢと呼ぶこと、あるいは基地局、ｅＮｏｄｅＢ、またはＨｅＮＢとして実装することができ、アクセス端末をユーザ機器、移動局などと呼ぶこと、あるいはユーザ機器、移動局などとして実装することができる。
【００１８】
システム１００中のアクセス・ポイントは、アクセス・ポイントのカバレージ・エリア内に設置されるか、アクセス・ポイントのカバレージ・エリア全体にわたってローミングする１つまたは複数のワイヤレス・アクセス端末に、１つまたは複数のサービス（たとえば、ネットワーク接続性）を提供する。たとえば、様々な時点で、アクセス端末１０２はアクセス・ポイント１０４に接続することができる。図１の複雑さを低減するために、単一のアクセス・ポイント１０２および単一のアクセス端末１０４のみを示してある。
【００１９】
システム１００中のアクセス・ポイントの各々は、ワイドエリア・ネットワーク接続性を可能にするために（便宜上、ネットワーク・ノード１０６によって表される）１つまたは複数のネットワーク・ノードと通信することができる。ネットワーク・ノードは、たとえば、１つまたは複数のコア・ネットワーク・エンティティ（たとえば、運用、管理、および保守サーバ、モビリティ管理エンティティ、または何らかの他の好適なネットワーク・エンティティ）などの様々な形態をとることができる。
【００２０】
システム１００中のノードは、互いに通信するために様々な手段を採用することができる。図１の例では、アクセス・ポイント１０４は、通信リンク１１０で表されるようにルータ１０８に接続することができ、ルータ１０８は、通信リンク１１４で表されるようにインターネット１１２に接続することができ、ネットワーク・ノード１０６は、通信リンク１１６で表されるようにインターネット１１２に接続することができる。さらに、アクセス端末１０２は、（ＲＦシンボルで表されるように）エアインターフェースリンク１１８を介してアクセス・ポイント１０４と通信する。
【００２１】
これらの通信リンクを使用することによって、アクセス端末１０４は、システム１００中の様々な対応ノード（たとえば、ノード１２０、１２２、および１２４）と通信することができる。いくつかの態様では、本明細書では、これらの様々な対応ノードへのアクセスを、ネットワーク・アクセスまたはローカル・ブレークアウト・アクセスが含まれるものと呼ぶことがある。
【００２２】
たとえば、ネットワーク・アクセスは、いくつかの態様では、オペレータのコア・ネットワーク（たとえば、セルラー・ネットワークのコア・ネットワーク）を介してアクセスされるサービスに関する。すなわち、アクセス端末は、アクセス端末がマクロ・ネットワークに接続された（たとえば、ワイヤレス・オペレータのネットワークのマクロ基地局に接続された）ときと同様の方法でネットワーク・サービスにアクセスすることができる。図１の例では、対応ノード１２０（たとえば、別のアクセス端末）はオペレータのコア・ネットワーク１２６を介してアクセスされるので、したがって、このノードへのアクセスはネットワーク（非ローカル）サービスと定義できる。（たとえば、リンク１１８、１１０、１１４、および１１６を介した）アクセス端末１０２と対応ノード１２０との間のトラフィック・フローは、点線１２８によって表されている。一般に、このトラフィックは、１対の線１３０で表されるようにプロトコル・トンネル（たとえば、ＩＰｓｅｃトンネル）を介してアクセス・ポイント１０４とオペレータのコア・ネットワーク１２６（たとえば、コア・ネットワーク１２６中のアクセス端末１０２用のＩＰゲートウェイ）との間でルーティングされる。
【００２３】
ローカル・ブレークアウト・アクセスは、いくつかの態様では、オペレータのコア・ネットワークを通過することなしにローカル・サービスにアクセスすることに関連している。たとえば、アクセス端末がホーム・ネットワークまたは何らかの他のローカル・ネットワークにあるとき、アクセス端末は、いくつかのサービスにアクセスすることができる。有利なことに、オペレータのコア・ネットワークをバイパスすることによって、待ち時間（たとえば、アクセス端末の応答時間）を改善し、（たとえば、オペレータのコア・ネットワークからのトラフィックをオフロードすることによって）オペレータ・ネットワーク上のリソースを節約することができる。
【００２４】
ローカル・サービスは、様々な形態をとることができる。いくつかの実装形態では、ローカル・サービスは、ローカル・ネットワーク上のエンティティによって提供されるサービスに関連している。たとえば、対応ノード１２４は、アクセス・ポイント１０４と同じＩＰサブネットワーク（たとえば、ルータ１０８によってサービスされるローカル・エリア・ネットワーク）上に常駐するデバイスを表すことができる。この場合、ローカル・ネットワーク・サービスにアクセスすることには、ＩＰサブネットワーク上のローカル・プリンタ、ローカルサーバ、ローカル・コンピュータ、別のアクセス端末、または何らかの他のエンティティにアクセスすることが含まれる。図１では、アクセス端末１０２と対応ノード１２４との間のトラフィック（たとえば、パケット）フローは、破線１３２によって表されている。線１３２は、アクセス端末１０２が、オペレータのコア・ネットワーク１２６を通過することなしにアクセス・ポイント１０４とルータ１０８とを介して（すなわち、リンク１１８とリンク１１０とを介して）このローカル・サービスにアクセスすることができることを示す。
【００２５】
いくつかの実装形態では、ローカル・サービスは、何らかの他のネットワークに接続されたノード（たとえば、インターネット１１２に接続された対応ノード１２２）に関連している。たとえば、ルータ１０８は、インターネットサービスプロバイダ（「ＩＳＰ」）にインターネット接続を提供することができ、アクセス端末１０２は、ノード１２２（たとえば、ウェブサーバ）によって提供されるサービスにアクセスするためにこのインターネット接続を使用することができる。したがって、ローカルＩＰアクセスを使用することによって、ネットワーク中の様々なアクセス端末は、ワイヤレス・オペレータのコア・ネットワークにアクセスすることなしに、いくつかのロケーション（たとえば、ユーザの家庭、雇用者の施設、インターネットホットスポットなど）においてインターネット・アクセスを提供され得る。（たとえば、リンク１１８、１１０、および１１４を介した）アクセス端末１０２と対応ノード１２２との間のトラフィック・フローは、図１に点線１３４によって表されている。
【００２６】
ローカル・ブレークアウトの使用は、システムパフォーマンスに影響を及ぼすいくつかの問題を起こす。第１に、オペレータのコア・ネットワークを介して到着しないパケットを配信するために、アクセス端末をページングする必要があることがある。しかしながら、従来のオペレータ・ネットワークは、ページングをコア・ネットワークにおいて処理するように設計される（たとえば、アクセス端末をページングするためのアイドル・コンテキストがコア・ネットワーク内に維持される）。第２に、ローカルトラフィックに関連付けられたかなりの数のメッセージがあることがある。したがって、アクセス端末が、これらのメッセージを処理するためにアイドル・モードから起動する必要がある場合、アクセス端末のバッテリー寿命が著しく低下することがある。しかしながら、アクセス端末は、一般に、アイドル状態のままにしたときに長いバッテリー寿命を有することがユーザによって期待されるワイヤレスバッテリー式デバイスである。
【００２７】
ページングを管理することに関して、典型的なワイヤレス・ネットワーク（たとえば、１ｘＥｖＤＯ、ＵＭＢ、ＵＭＴＳ、ＨＳＰＡ、ＬＴＥ、ＷｉＭＡＸ）では、オペレータのコア・ネットワークを流れるパケットを送信するためにのみ、アクセス端末をページングする。これにより、オペレータは、アクセス端末のページング機能をコア・ネットワーク要素（たとえば、ＬＴＥにおけるモビリティ管理エンティティ（ＭＭＥ））中に統合することができる。アクセス端末は、そのバッテリー寿命を延長するために厳密なスリープ（すなわち、アイドル・モード）レジームを維持するので、このコア・ネットワーク要素は、アクセス端末をどのように、いつページングすべきかに関する詳細な情報を保つ唯一のエンティティである。さらに、アクセス端末のバッテリーをさらに節約するために、ページング・エリア（たとえば、ゾーン、トラッキング・エリアなど）を構成するいくつかのアクセス・ポイント（たとえば、ｅＮＢ）のカバレージ・エリアを通過した後、アクセス端末はコア・ネットワークに登録するだけでよい。この登録方式に適応するために、ページング・エリア中のアクセス・ポイントのすべてがアクセス端末をページングすることができる。
【００２８】
しかしながら、ローカル・ブレークアウトの場合、ワイヤレス・オペレータのコア・ネットワークを流れないパケットを配信するために、アクセス端末をページングする必要があることがある。むしろ、これらのパケットは、対応するローカル・ネットワークに接続された特定のアクセス・ポイント（たとえば、ＨｅＮＢ）に到着することがある。さらに、ローカル・ブレークアウト・インターフェースを通して到着するパケットを配信するためにアクセス端末をページングすべきとき、アクセス端末の現在のページング・エリアにかかわらず、ローカル・ブレークアウトを提供するアクセス・ポイントにおいてアクセス端末のページングのみを行うことが望ましい。
【００２９】
電力消費量を管理することに関して、従来のオペレータ制御ワイヤレス・ネットワークは、アクセス端末が関与するトラフィックのみがアクセス端末に送信されるようにセットアップされる。対照的に、典型的なローカル・ネットワーク（たとえば、ホーム・ネットワーク）は、多数のブロードキャスト・メッセージを送信する様々なプロトコルを利用することができる。これらのプロトコルは、たとえば、ローカル・ネットワーク上のノードの媒体アクセス制御（「ＭＡＣ」）アドレスを発見するためのアドレス解決プロトコル（「ＡＲＰ」）と、サービス広告、サービス発見およびサービス構成用のユニバーサル・プラグアンドプレイ（「ＵＰｎＰ」）パケットと、ウィンドウズ（登録商標）・ネットワーキング用のサーバ・メッセージ・ブロック（「ＳＭＢ」）パケットと、特定のデバイス・ビーコン（たとえば、ＴＩＶＯ（登録商標）ＤＶＲビーコン）とを含む。
【００３０】
通常のネットワーク運用の下では、そのようなプロトコルによって生成されたパケットは、ブロードキャストＩＰアドレスを使用して送信されるとき、ローカル・ネットワーク中のすべてのノードに配信されることになっている。しかしながら、典型的なネットワークでは、２４時間の期間中に何千個ものそのようなパケットが存在することがある。その結果、ローカル・ブレークアウトの場合、その日中に数千回もアクセス端末をページングする可能性があり、それにより（たとえば、アクセス端末がマクロ・ネットワークによってサービスされるとき）アクセス端末のバッテリーが通常よりもはるかに速く消耗することになる。
【００３１】
図２に、これらおよび他の問題に対処するために採用されるページング動作および電力管理動作の概観を示す。便宜上、図２の動作（または本明細書で説明または教示する他の動作）については、特定の構成要素（たとえば、システム１００の構成要素）によって実行されるものとして説明する。ただし、これらの動作は、他のタイプの構成要素によって実行でき、異なる数の構成要素を使用して実行できることを諒解されたい。また、本明細書で説明する動作の１つまたは複数は、所与の実装形態では採用されない場合があることを諒解されたい。
【００３２】
ブロック２０２で表されるように、ある時点で、アクセス端末１０２（図１）に宛てられたパケットがローカル・ネットワークを介してアクセス・ポイント１０４に到着する。たとえば、パケットは、対応ノード１２４または対応ノード１２２において発生するか、あるいは対応ノード１２４または対応ノード１２２によって中継される。
【００３３】
ブロック２０４で表されるように、アクセス・ポイント１０４は、アクセス・ポイント１０４および／またはアクセス端末１０２によって実装される特定のページングおよび／または電力管理方式に基づいて、アクセス端末１０２をページングすべきかどうか、および／またはアクセス端末１０２をどのようにページングすべきかを判断する。本明細書の教示によれば、いくつかの態様では、これらの方式は、アクセス端末１０２に宛てられたページングおよび／またはパケットトラフィックを制限することができる。たとえば、図６および図７に関連して以下でより詳細に説明するように、いくつかの実装形態では、アクセス端末１０２に送信されるページまたはパケットの数を低減するために、アクセス・ポイント１０４は（たとえば、パケット・フィルタ１３６の動作によって）ローカル・ブレークアウト・トラフィックをフィルタ処理する。ここで、フィルタ処理は、（たとえば、図６で説明するように）静的な方法で達成するか、または（たとえば、図７で説明するように）アクセス端末の動作モードに基づいて動的な方法で達成することができる。後者の場合、アクセス・ポイント１０４（たとえば、フィルタモード・コントローラ１４０）がそれに応じてパケット・フィルタ処理演算を制御できるように、アクセス端末１０２（たとえば、フィルタモード・コントローラ１３８）は、アクセス端末１０２の現在の動作モードの指示をアクセス・ポイント１０４に送信する。図８に関連して以下でより詳細に説明するように、いくつかの実装形態では、アクセス・ポイント１０４（たとえば、ローカル・ブレークアウト・ページング・コントローラ１４２）は、アクセス端末１０２をページングする間にパケットタイプの指示を送信し、それによって、アクセス端末１０２は、指示に基づいてパケットを受信すべきかどうかを判断する。図９に関連して以下でより詳細に説明するように、いくつかの実装形態では、アクセス端末１０２（たとえば、リンク・インターフェース・コントローラ１４４）は、アクセス端末１０２においてトラフィックを制限するためにローカル・リンク・インターフェースを選択的に無効化する。
【００３４】
図２のブロック２０６で表されるように、アクセス端末１０２をページングすべき（たとえば、受信ローカル・ブレークアウト・パケットがフィルタ処理されない）場合、アクセス・ポイント１０４（たとえば、ローカル・ブレークアウト・ページング・コントローラ１４２）はアクセス端末１０２をページングする動作を開始する。場合によっては、アクセス・ポイント１０４においてのみアクセス端末１０２をページングする。場合によっては、（たとえば、アクセス端末１０２の現在のオペレータ・ネットワーク・ページング・エリアを提供するアクセス・ポイントのセットに比較して縮小された）アクセス・ポイントの何らかの他の縮小セットにおいて、アクセス端末をページングする。
【００３５】
図４に関連して以下でより詳細に説明するように、いくつかの実装形態では、アクセス・ポイント１０４（たとえば、ローカル・ブレークアウト・ページング・コントローラ１４２）は、アクセス端末１０２のアイドル・モード動作を担当するコア・ネットワーク・エンティティにアクセス端末１０２のページを起動させるために、そのエンティティに要求を送信する。図１の例では、このエンティティは、いくつかの態様では、ページング・コントローラ機能（たとえば、ＭＭＥ）を含むことができるネットワーク・ノード１０６によって表されている。場合によっては、アクセス・ポイント１０４からの要求は、アクセス・ポイント１０４において（またはアクセス・ポイントの何らかの他の縮小セットにおいて）のみアクセス端末１０２をページングするための指示を含むことができる。代替的に、他の場合には、コア・ネットワーク・エンティティは、（たとえば、アクセス・ポイント１０４からの要求の受信に基づいて）これらの縮小アクセス・ポイントセットのうちの１つにおいてのみアクセス端末１０２をページングすべきであることを判断することができる。ここで、アクセス端末１０２は、ローカル・ブレークアウト・パケットを受信するためにアクセス・ポイント１０４のカバレージ・エリア中にある必要があるので、他のアクセス・ポイントにおけるページングは不要である。したがって、アクセス端末１０２がアクセス・ポイント１０４からのページを聴く可能性が高くなる。
【００３６】
図５に関連して以下でより詳細に説明するように、いくつかの実装形態では、アクセス・ポイント１０４（たとえば、ローカル・ブレークアウト・ページング・コントローラ１４２）は、アクセス端末１０２のアイドル・モードを担当するコア・ネットワーク・エンティティと交信することなしに、アクセス端末を自律的にページングする。ここで、アクセス・ポイント１０４は、アクセス端末のアイドル・コンテキストのコピーを取得し（たとえば、取り出し）、記憶することができる。次いで、ローカル・ブレークアウトに関するパケットを受信したとき、アクセス・ポイント１０４はアクセス端末を直接ページングする。
【００３７】
上記の概観を念頭において、本明細書の教示による、ページングおよび電力管理を行うことに関する追加の詳細について、図３〜図９を参照しながら説明する。図３に、通信ノードにおいて採用されるいくつかの構成要素を示す。図４および図５のフローチャートは様々なページング技法に関する。図６〜図９のフローチャートは様々な電力管理技法に関する。
【００３８】
例示のために、図３に、本明細書で教示する、ページングおよび／または電力管理を実行するためにアクセス端末１０２と、アクセス・ポイント１０４と、ネットワーク・ノード１０６とに組み込まれる例示的な構成要素を示す。記載の構成要素は、通信システム中の他のノードに組み込むこともできる。たとえば、システム中の他のノードは、同様の機能を提供するために、アクセス端末１０２と、アクセス・ポイント１０４と、ネットワーク・ノード１０６とに関して記載する構成要素と同様の構成要素を含むことができる。さらに、所与のノードは、記載の構成要素のうちの１つまたは複数を含むことができる。
【００３９】
図３に示すように、アクセス端末１０２、アクセス・ポイント１０４、およびネットワーク・ノード１０６は、それぞれ、他のノードと通信するための少なくとも１つのトランシーバ・ブロック３０２、トランシーバ・ブロック３０４、およびトランシーバ・ブロック３０６を含むことができる。トランシーバ・ブロック３０２に、信号を送信するための送信機３０８と、信号を受信するための受信機３１０とを示す。たとえば、アクセス端末１０２は、アクセス・ポイント１０４にモード指示などのメッセージを送信し、アクセス・ポイント１０４からページと、ビーコンと、パケットと、様々な他のメッセージとを受信することができる。トランシーバ・ブロック３０４に、信号を送信するための送信機３１２と、信号を受信するための受信機３１４とを示す。たとえば、アクセス・ポイント１０４は、アクセス端末１０２にページと、ビーコンと、パケットと、様々なメッセージとを送信し、アクセス端末１０２からモード指示などのメッセージを受信することができる。さらに、アクセス・ポイント１０４は、ネットワーク・ノード１０６に要求などのメッセージを送信することができ、ネットワーク・ノード１０６からページ要求と、アイドル・コンテキスト情報と、ネットワーク・パケットとを受信することができる。トランシーバ・ブロック３０６に、信号を送信するための送信機３１６と、信号を受信するための受信機３１８とを示す。たとえば、ネットワーク・ノード１０６は、アクセス・ポイント１０４にページ要求と、アイドル・コンテキスト情報と、ネットワーク・パケットとを送信し、アクセス・ポイント１０４から要求などのメッセージを受信することができる。
【００４０】
図３のノードの接続性に応じて、図３のトランシーバ・ブロックは様々な通信技術をサポートすることができる。たとえば、トランシーバ・ブロックは、ワイヤードリンクおよび／またはワイヤレスリンクを介した通信を可能にする１つまたは複数のトランシーバを表すことができる。たとえば、アクセス端末１０２とアクセス・ポイント１０４との間の通信は、ワイヤレス通信技術を使用して達成される。さらに、場合によっては、ネットワーク・ノード１０６とアクセス・ポイント１０４との間の通信（たとえば、バックホール通信）は、ワイヤード通信技術を使用して達成される。他の場合には、ここで（たとえば、アクセス・ポイントがワイヤレス・リレーを介してネットワークにアクセスする場合）ワイヤレス技術を採用することができる。
【００４１】
アクセス端末１０２、アクセス・ポイント１０４、およびネットワーク・ノード１０６はまた、本明細書で教示するページングおよび／または電力管理に関連して使用される他の構成要素を含む。たとえば、アクセス端末１０２、アクセス・ポイント１０４、およびネットワーク・ノード１０６は、それぞれ、他のノードとの通信を管理する（たとえば、通信インターフェースを確立する、メッセージ／指示を送信および受信する）ための、および本明細書で教示する他の関連する機能を与えるための通信コントローラ３２０、通信コントローラ３２２、および通信コントローラ３２４を含むことができる。さらに、アクセス端末１０２、アクセス・ポイント１０４、およびネットワーク・ノード１０６は、それぞれ、ページング関連の動作を実行する（たとえば、ページを受信または送信する、あるいはページ関連の要求を送信または受信する）ための、および本明細書で教示する他の関連する機能を与えるためのページング・コントローラ３２６、（たとえば、図１のコントローラ１４２に対応する）ページング・コントローラ３２８、およびページング・コントローラ３３０を含むことができる。アクセス端末１０２およびアクセス・ポイント１０４は、それぞれ、パケットを処理する（たとえば、送信および受信する）ための、および本明細書で教示する他の関連する機能を与えるためのパケットプロセッサ３３２およびパケットプロセッサ３３４を含むことができる。アクセス端末１０２およびアクセス・ポイント１０４は、それぞれ、アクセス端末動作モード関連の動作を実行する（たとえば、モードの指示を生成する、またはモードを判断する）ための、および本明細書で教示する他の関連する機能を与えるための（たとえば、コントローラ１３８に対応する）モード・コントローラ３３６および（たとえば、コントローラ１４０に対応する）モード・コントローラ３３８を含むことができる。アクセス・ポイント１０４はまた、パケットをフィルタ処理する（たとえば、アクセス端末をページングすべきなのか、パケットをアクセス端末に配信すべきなのかを判断する）ための、および本明細書で教示する他の関連する機能を与えるための（たとえば、フィルタ１３６に対応する）パケット・フィルタ３４０を含むことができる。
【００４２】
便宜上、アクセス端末１０２、アクセス・ポイント１０４、およびネットワーク・ノード１０６は、図４〜図９に関連して以下で説明する様々な例で使用される構成要素を含むものとして図３に示されている。実際問題として、図示の構成要素のうちの１つまたは複数は、所与の例で使用されないこともある。一例として、いくつかの実装形態では、アクセス端末１０２はモード・コントローラ３３６を含まないことがある。また、いくつかの実装形態では、アクセス・ポイント１０４は、パケット・フィルタ３４０またはモード・コントローラ３３８のうちの１つまたは複数を含まないことがある。
【００４３】
さらに、様々な動作が様々な実装形態において図示の構成要素によって実行されることがある。一例として、いくつかの実装形態では、ページング・コントローラ３２８が、図４で説明するような動作を実行することがあり、他の実装形態では、ページング・コントローラ３２８が、図５で説明するような動作を実行することがある。
【００４４】
次に図４を参照しながら、ネットワーク・ノードがローカル・ブレークアウト・ページングを管理する例示的な実装形態に関係する動作について、より詳細に説明する。上述のように、この例では、アクセス・ポイント１０４は、アクセス端末１０２に宛てられたローカル・ブレークアウト・パケットを受信したことをネットワーク・ノード１０６に通知し、その後、ネットワーク・ノードは、アクセス・ポイント１０４にアクセス端末１０２をページングさせるためにメッセージを送信する。
【００４５】
ブロック４０２で表されるように、ある時点において、アクセス・ポイント１０４（たとえば、図３のパケットプロセッサ３３４）は、アクセス端末１０２に宛てられたローカル・ブレークアウト・パケットを受信する。本明細書で説明するように、このパケットは、アクセス・ポイント１０４によって提供された（たとえば、対応ノード１２４または対応ノード１２２からの）ローカル・ブレークアウトを介して受信される。
【００４６】
ブロック４０４で表されるように、ブロック４０２におけるパケットの受信に応答して、アクセス・ポイント１０４（たとえば、ページング・コントローラ３２８）は、ネットワーク・ノード１０６（たとえば、ＭＭＥ）にメッセージを送信し、メッセージは、アクセス端末１０２をページングすべきであることを指示する（たとえば、要求する）。このメッセージは様々な形態をとることができる。たとえば、場合によっては、メッセージは、ローカル・ブレークアウト・パケットを受信したという指示を含む。
【００４７】
場合によっては、メッセージは、アクセス端末をページングするために、縮小アクセス・ポイントセットを使用すべきという指示を含む。そのような指示は、たとえば、アクセス・ポイント１０４の識別子、いくつかのアクセス・ポイント（たとえば、隣接アクセス・ポイントのセット）の識別子、またはローカル・ブレークアウト・パケットを受信したという指示を備えることができる。
【００４８】
ネットワーク・ノード１０６は、ブロック４０６で表されるように、このメッセージを受信する。たとえば、このメッセージは、図３に示す通信コントローラ３２４によって処理される。
【００４９】
ブロック４０８で表されるように、ネットワーク・ノード１０６（たとえば、ページング・コントローラ３３０）は、どこでアクセス端末１０２をページングすべきかを判断する。たとえば、ネットワーク・ノード１０６は、縮小アクセス・ポイントセットにおいてアクセス端末１０２をページングすべきであることを判断することができる。この判断は、アクセス・ポイント１０４からのメッセージとともに受信した指示に基づくか、またはネットワーク・ノード１０６にとって利用可能な他の情報に基づく。後者の場合の例として、ネットワーク・ノード１０６は、ローカル・ブレークアウト・パケットであるパケットに基づいて、ローカル・ブレークアウトを提供するアクセス・ポイントから送信されるメッセージに基づいて、アクセス・ポイントによって送信されるメッセージに基づいて、または何らかのまたは何らかの他の１つまたは複数の基準に基づいて、縮小アクセス・ポイントセットを使用すべきであることを判断することができる。
【００５０】
ブロック４１０で表されるように、ブロック４０６において受信されたメッセージに応答して、ネットワーク・ノード１０６（たとえば、ページング・コントローラ３３０）は、アクセス端末１０２をページングするようにアクセス・ポイント１０４に命令するためにアクセス・ポイント１０４にメッセージを送信する。たとえば、メッセージは、ページ識別子（たとえば、ページングのためにアクセス端末に割り当てられる識別子）と、ページ・タイミング情報（たとえば、ページング間隔および／またはページングオフセットの指示）とを含むページ要求を備えることができる。
【００５１】
アクセス・ポイント１０４は、ブロック４１２で表されるように、このメッセージを受信する。ブロック４１４で表されるように、アクセス・ポイント１０４（たとえば、ページング・コントローラ３２８）は、次いで、このメッセージの受信に応答してアクセス端末１０２をページングする。
【００５２】
図５を参照しながら、アクセス・ポイントがローカル・ブレークアウト・ページングを自律的に管理する例示的な実装形態に関係する動作について、より詳細に説明する。この例では、アクセス・ポイント１０４は、アクセス端末１０２のページングを起動するためにネットワーク・ノード１０６にメッセージを送信しない。
【００５３】
ブロック５０２で表されるように、ある時点において、アクセス端末１０２はアクセス・ポイント１０４に接続する。たとえば、アクセス・ポイント１０４がＨｅＮＢである実装形態では、アクセス端末１０２のユーザが自宅にいるとき、アクセス端末１０２をアクセス・ポイント１０４に登録することができる。この接続が行われると、アクセス・ポイント１０４は、アクセス端末１０２用のサービング・アクセス・ポイントになることができる。
【００５４】
ブロック５０４で表されるように、アクセス・ポイント１０４（たとえば、ページング・コントローラ３２８）はアクセス端末１０２のアイドル・コンテキストを取得する。これは様々な方法で達成できる。たとえば、いくつかの実装形態では、アクセス・ポイント１０４は、ネットワーク（たとえば、ネットワーク・ノード１０６）に、または何らかの他のノードにアイドル・コンテキストの要求を送信する。いくつかの実装形態では、アクセス・ポイント１０４は、アクセス端末１０２の前のページからアイドル・コンテキストを取得する。たとえば、何らかの他の時点において、ネットワーク・ノード１０６は、アクセス端末１０２をページングするようにアクセス・ポイント１０４に命令するページ要求をアクセス・ポイント１０４に送信してある。上述のように、そのようなページ要求は、ページ識別子およびページ・タイミングの指示などのアイドル・コンテキスト情報を含むことができる。
【００５５】
したがって、ブロック５０６で表されるように、アクセス・ポイント１０４（たとえば、ページング・コントローラ３２８）は、１つまたは複数の後続ページング動作において使用するためにアクセス端末１０２のアイドル・コンテキストを維持する。たとえば、アクセス・ポイント１０４は、ページ識別子とページ・タイミング情報（またはアイドル・コンテキストから導出される他の情報）とをデータ・メモリに一時的に記憶することができる。
【００５６】
ブロック５０８で表されるように、ある時点において、アクセス・ポイント１０４は、アクセス端末１０２に宛てられたローカル・ブレークアウト・パケットを受信する。したがって、アクセス・ポイント１０４（たとえば、ページング・コントローラ３２８）は、このアクセス端末用のアイドル・コンテキストを取り出し、ブロック５１０で表されるように、アイドル・コンテキストを使用してアクセス端末１０２をページングする。すなわち、アクセス・ポイント１０４は、ページ・タイミング情報によって指示された時間にページ識別子を備えるページを送信する。
【００５７】
図５の動作は様々な方法で実装できる。いくつかの実装形態では、アクセス端末１０４は、アクセス端末１０２がアクセス・ポイント１０４に接続するときにアイドル・コンテキストを取得することができる。たとえば、アクセス・ポイント１０４（たとえば、通信コントローラ３２２）がアクセス端末１０２からの登録メッセージを受信した後に、アクセス・ポイント１０４はアイドル・コンテキストの要求を送信することができる。いくつかの実装形態では、アクセス端末１０４は、ローカルパケットを受信した後にアイドル・コンテキストを取得することができる。たとえば、アクセス・ポイント１０４は、パケットを受信した後にアイドル・コンテキストの要求を送信することができる。そのような場合、アクセス・ポイント１０４は、後続パケット用にアイドル・コンテキストを維持し続けること、あるいはパケットまたはパケットのセットを受信するたびに新しいコンテキストを取得すること（すなわち、コンテキストは短い時間期間の間のみ維持される）ができる。
【００５８】
図６を参照しながら、アクセス・ポイント１０４がアクセス端末１０２に宛てられたローカル・ブレークアウト・パケットをフィルタ処理する例示的な実装形態に関係する動作について、より詳細に説明する。この例では、アクセス・ポイント１０４は、すべての非ユニキャスト・パケットをフィルタ除去する。他の場合には、異なるタイプのパケット（たとえば、ブロードキャスト・パケットのみ）をフィルタ処理することができることを諒解されたい。
【００５９】
ブロック６０２で表されるように、ある時点において、アクセス・ポイント１０４は、アクセス端末１０２に宛てられたローカル・ブレークアウト・パケットを受信する。たとえば、パケットに関連するパケットタイプを特定する（ブロック６０４）ためにパケットを処理するように構成されたパケットプロセッサ３３４において、パケットを受信する。たとえば、パケットタイプは、パケットがユニキャスト・パケットであるのか、非ユニキャスト・パケット（たとえば、ブロードキャスト・パケットまたはマルチキャスト・パケット）であるのかを指示することができる。
【００６０】
ブロック６０６で表されるように、アクセス・ポイント１０４（たとえば、パケット・フィルタ３４０）は、判断されたパケットタイプに基づいて受信パケットを選択的にフィルタ処理する。たとえば、アクセス端末１０２がアクティブ・モードにない（たとえば、アクセス端末１０２が節電アイドル・モードにある）場合、アクセス・ポイント１０４は、ローカル・ブレークアウトを介した非ユニキャスト・パケットの受信に応答してアクセス端末１０２をページングしないことを選択する。逆に、アクセス端末１０２がアクティブ・モードにある（たとえば、アクセス端末１０２がアクセス・ポイント１０４とアクティブに通信している）場合、アクセス・ポイント１０４は、アクセス端末１０２にローカル・ブレークアウト非ユニキャスト・パケットを配信しないことを選択する。
【００６１】
したがって、図６の方式は、アクセス端末１０２に送信するページまたはパケットの数を減らすことによってアクセス端末１０２の電力消費量を減らす。しかしながら、この方式は、ローカル・ブレークアウト機構のユーザビリティをある程度まで制限する。たとえば、アクセス端末１０２がネットワークに接続されたデバイス（たとえば、プリンタ）を発見することができるように、アクセス端末１０２が少なくともいくつかのブロードキャスト・パケットを受信することが好ましい。このようにして、ユーザによって要求されたときに、アクセス端末１０２が、そのようなデバイスと容易に通信することが可能になる。
【００６２】
図７を参照しながら、アクセス・ポイントがアクセス端末１０２に宛てられたローカル・ブレークアウト・パケットを選択的にフィルタ処理する例示的な実装形態に関係する動作について、より詳細に説明する。この例では、アクセス・ポイント１０４は、アクセス端末１０２の現在の動作モードに基づいて非ユニキャスト・パケットをフィルタ除去する。たとえば、通常動作モードでは、バッテリー電力を節約するために、いかなるブロードキャスト・パケットに対してもアクセス端末１０２をページングしない。この場合、アクセス端末１０２は、ユニキャストＩＰアドレスを介してローカル・ネットワーク上の他のデバイスとのみ通信する。したがって、アクセス端末１０２は、この動作モード中はローカル・ネットワーク上でサービス発見を実行しない。対照的に、ブロードキャスト対応動作モードでは、（たとえば、ブロードキャストおよびマルチキャスト・パケットを含む）すべてのパケットがアクセス端末１０２にフォワーディングされる。このモードでは、アクセス端末１０２はローカル・ネットワーク上でサービス発見を実行することができる。他の場合には、異なるタイプのパケット（たとえば、ブロードキャスト・パケットのみ）をフィルタ処理し、および／または他の場合には、選択的フィルタ処理が何らかの他の１つまたは複数の基準に基づくことを諒解されたい。
【００６３】
ブロック７０２で表されるように、様々な時点において、アクセス端末１０２は、いくつかのタイプのパケットに対してアクセス端末１０２をページすべきかどうかを指示する動作モードを選択する。たとえば、ある時間には、アクセス端末１０２（たとえば、モード・コントローラ３３６）は、ユニキャスト・パケットのみを受信することを選択することができ、他の時間には、アクセス端末１０２は、すべてのパケット（たとえば、ユニキャストおよび非ユニキャスト・パケット）を受信することを選択することができる。
【００６４】
ブロック７０２の選択は様々な方法で行うことができる。場合によっては、ユーザがこの選択を開始することができる。たとえば、ユーザがローカル・サービス（たとえば、ホーム・ネットワーク上のプリンタ）にアクセスすることを望むとユーザが決定した場合、ユーザは、非ユニキャスト・パケットに対してページングを可能にするためにアクセス端末１０２のユーザ入力デバイスを操作することができる。そうでない場合、ユーザは、アクセス端末１０２をユニキャスト専用モードに入れることができる。これらの場合、モード・コントローラ３３６は、選択を行うために入力デバイスから信号を受信することができる。
【００６５】
場合によっては、アクセス端末１０２上のアプリケーションがブロック７０２の選択を行うことができる。たとえば、アプリケーション（または何らかの他のアプリケーション）がローカル・サービス（たとえば、ホーム・ネットワーク上のプリンタ）にアクセスする必要があるとアプリケーションが判断した場合、アプリケーションは、非ユニキャスト・パケットに対してページングを可能にするために動作モードを自律的に切り替えることができる。場合によっては、この判断は、ユーザの何らかの行為（たとえば、印刷アプリケーションなどのアプリケーションの呼出し）に基づく。さらに、アプリケーションは、（たとえば、ある時間期間の後に、またはローカル・アクセスの終了時に）アクセス端末１０２をユニキャスト専用モードに自動的に戻すことができる。
【００６６】
ブロック７０４で表されるように、アクセス端末１０２（たとえば、通信コントローラ３２０）は、アクセス・ポイント１０４に選択されたモードの指示を送信する。この指示は様々な方法で送信できる。
【００６７】
いくつかの実装形態では、指示は、アクセス端末１０２とアクセス・ポイント１０４との間のレイヤ２（「Ｌ２」）エアインターフェースプロトコルを介して送信される。したがって、この技法は、アクセス端末１０２とアクセス・ポイント１０４とによって使用される各エアインターフェース技術からのサポートを必要とする。
【００６８】
いくつかの実装形態では、指示は、アクセス端末１０２とアクセス・ポイント１０４との間のレイヤ３（「Ｌ３」）プロトコルを介して送信される。たとえば、アクセス端末１０２のモードをアクセス・ポイント１０４に搬送するためにサービス発見／広告プロトコルを拡張することができる。これを達成するための潜在的なプロトコルがＵＰｎＰである。ＵＰｎＰを使用して、アクセス端末１０２は、アクセス端末１０２と、それが動作することになるモード（たとえば、通常モードまたはブロードキャスト対応モード）とに関する情報を含んでいる広告メッセージをデバイスに送信する。以下で説明するように、アクセス・ポイント１０４は、このメッセージを傍受し、それに応じてブロードキャストアドレス指定パケット配信を制御する。有利なことに、Ｌ３技法は、エアインターフェース技術非依存であり、任意のエアインターフェース技術によって利用できる。
【００６９】
アクセス・ポイント１０４は、ブロック７０６で表されるように、指示を受信する。それに応じて、アクセス・ポイント１０４（たとえば、モード・コントローラ３３８）は、ブロック７０８で表されるように、アクセス端末１０２の動作モードを判断する。
【００７０】
ブロック７１０で表されるように、ある時点において、アクセス・ポイント１０４は、アクセス端末１０２に宛てられたローカル・ブレークアウト・パケットを受信する。さらに、ブロック７１２において、アクセス・ポイント１０４は、（たとえば、アクセス端末１０２がユニキャスト専用モードで動作している場合）本明細書で説明するこのパケットのタイプを判断する。たとえば、パケットプロセッサ３３４は、パケットが非ユニキャスト・パケットであるのか、ユニキャスト・パケットであるのかを判断することができる。
【００７１】
ブロック７１４で表されるように、次いで、アクセス・ポイント１０４（たとえば、ページング・コントローラ３２８）は、パケットの受信に応答してアクセス端末１０２をページングすべきかどうかを判断する。いくつかの態様では、この判断は、アクセス端末１０２の動作モードに基づく。さらに、この判断は、（たとえば、アクセス端末がユニキャスト専用モードで動作している場合）判断されたパケットタイプに基づく。
【００７２】
図８を参照しながら、アクセス・ポイントにおいて受信したローカル・ブレークアウト・パケットを無視することをアクセス端末が選択する例示的な実装形態に関係する動作について、より詳細に説明する。この例では、アクセス端末がこの決定を行うことを可能にするために、アクセス・ポイントは、アクセス端末をページングするときにパケットタイプの指示を含む。
【００７３】
ブロック８０２で表されるように、ある時点において、アクセス・ポイント１０４は、アクセス端末１０２に宛てられたローカル・ブレークアウト・パケットを受信する。さらに、ブロック８０４において、アクセス・ポイント１０４は、本明細書で説明するように、このパケットのパケットタイプを判断する。たとえば、パケットプロセッサ３３４は、パケットが、ユニキャスト・パケット、非ユニキャスト・パケット、ブロードキャスト・パケット、ローカル・ブレークアウト・パケット、（たとえば、セルラー・ネットワークのコア・ネットワークを介して受信する）ネットワーク・パケット、特定のプロトコルのパケット、特定のポート番号（たとえば、ＴＣＰポートまたはＵＤＰポート）に関連するパケットなどのうちの１つまたは複数であるかどうかを判断することができる。
【００７４】
ブロック８０６で表されるように、アクセス・ポイント１０４（たとえば、ページング・コントローラ３２８）は、パケットの受信に応答してアクセス端末１０２をページングする。この場合、ページは、ブロック８０４において判断されたパケットタイプの指示を備える。たとえば、指示は、ページに追加されている１つまたは複数のビットを備えることができ、あるいは指示をページに符号化することができる。特定の例として、次のように２つのビットをページ・メッセージに追加することができる。すなわち、第１のビットは、ページがパケットをローカル・ブレークアウト・インターフェースから配信すべきか、またはオペレータのコア・ネットワークから配信すべきかを指示する。第２のビットは、ページがユニキャストＩＰアドレスを用いてパケットを配信すべきか、または非ユニキャスト（たとえば、ブロードキャスト／マルチキャスト）ＩＰアドレスを用いて配信すべきかを指示する。
【００７５】
アクセス端末１０２（たとえば、ページング・コントローラ３２６）は、ブロック８０８で表されるようにページを受信する。それに応じて、ブロック８１０で表されるように、アクセス端末１０２（たとえば、パケットプロセッサ３３２）は、パケットタイプに基づいてパケットを受信すべきかどうかを判断する。たとえば、アクセス端末１０２は、バッテリー電力を節約するために（たとえば、ある時間に）いくつかのタイプのパケットを受信しないことを選択することができる。いくつかの実装形態では、特定のタイプのパケットを受信するという決定は、ブロック７０２に関連して上述したようにユーザ入力および／またはアプリケーションによって行われる決定に基づく。
【００７６】
ブロック８１２および８１４で表されるように、アクセス端末１０２がパケットを受信しないことを選択した場合、アクセス端末１０２は単にアイドル・モード動作を続ける。すなわち、アクセス端末１０２は、アクセス・ポイント１０４からパケットを取り出すためにアクティブ・モードに切り替わる代わりに、その通常のスリープ・サイクルを続けることができる。
【００７７】
逆に、アクセス端末１０２がパケットを受信することを選択した場合、アクセス端末１０２は、ブロック８１６で表されるようにアクティブ・モード動作に切り替わる。この場合、アクセス端末１０２は、パケットを取り出すためにアクセス・ポイント１０４にアクセスする。
【００７８】
図８の電力管理方式を使用することによって、アクセス端末１０２は、そのバッテリー使用法および接続性を最適化するためのアルゴリズムを実装することができる。さらに、この方式は、アクセス端末１０２とアクセス・ポイント１０４との間のインターフェースを必要としない。このソリューションを十分に利用するには、何らかのユーザ対話が必要とされることがある。たとえば、ユーザはアクセス端末１０２をスキャニング・モードに入れることができ、その場合、アクセス端末１０２は、ローカル（たとえば、ホーム）ネットワーク中のすべての他のデバイスを発見するためにすべてのブロードキャスト・パケットに対して起動することができる。通常モードでは、アクセス端末１０２は、非ユニキャスト・ページを指示するページ・メッセージに対して起動しない。
【００７９】
図９を参照しながら、アクセス端末がローカル・リンク・インターフェースを選択的に有効化および無効化する例示的な実装形態に関係する動作について、より詳細に説明する。ここで、アクセス端末１０２と（アクセス端末１０２にローカル・ブレークアウトを提供する）アクセス・ポイント１０４との間にローカル・リンク・インターフェースを提供することができる。
【００８０】
ブロック９０２で表されるように、アクセス端末１０２（たとえば、通信コントローラ３２０）は、ローカル・ネットワーク（すなわち、ローカル・ブレークアウト）へのアクセスが必要であるどうかを判断する。たとえば、ローカル・リンク上のあらゆるパケットに対してアクセス端末１０２をページングすることにならないように、ローカル・リンクがある時間量の間アイドル状態だったとき、アクセス端末１０２は、そのローカル・リンク・インターフェースをオフにすることを選択することができる。
【００８１】
ブロック９０４および９０６で表されるように、ローカル・アクセスが必要でない場合、アクセス端末１０２（たとえば、通信コントローラ３２０）はローカル・リンク・インターフェースを無効化する。たとえば、アクセス端末１０２は、対応するＩＰアドレスを解放し、対応するＬ２リンクを「オフに切り替える」。いくつかの実装形態では、さらなる電力を節約するために、アクセス端末１０２は、ローカル・リンク・インターフェースに関連する１つまたは複数の構成要素をオフにすることができる。
【００８２】
ブロック９０８で表されるように、ローカル・アクセスが必要である場合、アクセス端末１０２は、ローカル・リンクを有効に保つか、またはリンクを再有効化する。たとえば、ローカル・リンクが無効になっている場合、アクセス端末１０２がローカル・ブレークアウトサービスを必要とするとき、リンクは（たとえば、ブロードキャスト対応モードで）再確立される。
【００８３】
ブロック９１０および９１２で表されるように、ローカル・リンクが有効であるどうかにかかわらず、アクセス端末１０２はネットワーク・パケット（たとえば、セルラー・ネットワークのコア・ネットワークとの間のパケット）の処理を続ける。
【００８４】
アクセス端末１０２が後でローカル・サービスにアクセスする（たとえば、印刷ジョブを送信する）必要がある場合、アクセス端末１０２は、１）ローカル・リンク・インターフェースを接続し、それによってローカル・リンク・インターフェースを有効化し（ブロック９０８）、２）ローカル・サービス（たとえば、プリンタ）を発見し、３）ブロック９１４においてローカル・ネットワーク・パケットを処理（たとえば、印刷ジョブを送信）し、４）所望される場合、切断する（それによって、ブロック９０６においてローカル・リンク・インターフェースを再び無効化する）ことができる。この方式の利点は、デフォルトアクセス・ポイント挙動に変化がないこと、またはモード情報を交換するために新しいプロトコルが不要であることである。アクセス端末１０２が（たとえば、ストリーミング・ビデオを送信するために）長い期間の間オンのままである必要がある場合、アクセス端末１０２は、単にすべてのローカル・ネットワーク（たとえば、ブロードキャスト）パケット受信することもできる。
【００８５】
上述のように、本明細書の教示は、大規模カバレージ（たとえば、一般にマクロセルネットワークまたはＷＡＮと呼ばれる、３Ｇネットワークなどの広域セルラー・ネットワーク）、およびより小規模のカバレージ（たとえば、一般にＬＡＮと呼ばれる、住居ベースまたは建築物ベースのネットワーク環境）を含むネットワークにおいて採用できる。アクセス端末（「ＡＴ」）がそのようなネットワーク中を移動するとき、アクセス端末は、あるロケーションでは、マクロ・カバレージを与えるアクセス・ポイントによってサービスされ、他のロケーションでは、より小規模のカバレージを与えるアクセス・ポイントによってサービスされることがある。いくつかの態様では、より小さいカバレージノードを使用して、増分キャパシティの増大と、屋内カバレージと、（たとえば、よりロバストなユーザ経験のための）様々なサービスとを与えることができる。相対的に広いエリアにわたるカバレージを与えるノード（たとえば、アクセス・ポイント）をマクロ・ノードと呼び、比較的小さいエリア（たとえば、住居）にわたるカバレージを与えるノードをフェムト・ノードと呼ぶことがある。同様の原理が、他のタイプのカバレージ・エリアに関連付けられたノードに適用可能である。たとえば、ピコノードは、マクロ・エリアよりも小さく、フェムト・エリアよりも大きいエリアにわたるカバレージ（たとえば、商業建築物内のカバレージ）を与えることができる。
【００８６】
様々な適用例では、マクロ・ノード、フェムト・ノード、または他のアクセス・ポイント・タイプのノードを指すために他の用語を使用することがある。たとえば、マクロ・ノードを、アクセス・ノード、基地局、アクセス・ポイント、ｅＮｏｄｅＢ、マクロセルなどとして構成する、または呼ぶことがある。また、フェムト・ノードを、Ｈｏｍｅ  ＮｏｄｅＢ、Ｈｏｍｅ  ｅＮｏｄｅＢ、アクセス・ポイント基地局、フェムトセルなどとして構成する、または呼ぶことがある。いくつかの実装形態では、ノードを１つまたは複数のセルまたはセクタに関連付ける（たとえば、分割する）ことができる。マクロ・ノード、フェムト・ノード、またはピコノードに関連付けられたセルまたはセクタを、それぞれ、マクロセル、フェムトセル、またはピコセルと呼ぶことがある。
【００８７】
図１０に、本明細書の教示を実装することができる、いくつかのユーザをサポートするように構成されたワイヤレス通信ネットワーク１０００を示す。システム１０００は、たとえば、マクロセル１００２Ａ〜１００２Ｇなど、複数のセル１００２の通信を可能にし、各セルは、対応するアクセス・ポイント１００４（たとえば、アクセス・ポイント１００４Ａ〜１００４Ｇ）によってサービスされる。図１０に示すように、アクセス端末１００６（たとえば、アクセス端末１００６Ａ〜１００６Ｌ）は、時間とともにシステム全体にわたって様々なロケーションに分散できる。各アクセス端末１００６は、たとえば、アクセス端末１００６がアクティブであるどうか、およびアクセス端末１００６がソフトハンドオフ中であるどうかに応じて、所与の瞬間に順方向リンク（「ＦＬ」）および／または逆方向リンク（「ＲＬ」）上で１つまたは複数のアクセス・ポイント１００４と通信することができる。ワイヤレス通信ネットワーク１０００は広い地理的領域にわたってサービスを提供する。たとえば、マクロセル１００２Ａ〜１００２Ｇは、近隣内の数ブロックまたは地方環境の数マイルをカバーすることができる。
【００８８】
図１１に、１つまたは複数のフェムト・ノードがネットワーク環境（たとえば、ネットワーク１０００）内に展開された例示的な通信システム１１００を示す。特に、システム１１００は、比較的小規模のネットワーク環境中に（たとえば、１つまたは複数のユーザ住居１１３０中に）設置された複数のフェムト・ノード１１１０（たとえば、フェムト・ノード１１１０Ａおよび１１１０Ｂ）を含む。各フェムト・ノード１１１０は、ＤＳＬルータ、ケーブルモデム、ワイヤレスリンク、または他の接続手段（図示せず）を介して、ワイドエリア・ネットワーク１１４０（たとえば、インターネット）とモバイル・オペレータ・コア・ネットワーク１１５０とに結合される。以下で説明するように、各フェムト・ノード１１１０は、関連するアクセス端末１１２０（たとえば、アクセス端末１１２０Ａ）、および、随意に、他の（たとえば、ハイブリッドまたは外来）アクセス端末１１２０（たとえば、アクセス端末１１２０Ｂ）にサービスするように構成できる。言い換えれば、フェムト・ノード１１１０へのアクセスを制限することができ、それによって、所与のアクセス端末１１２０を、指定された（１つまたは複数の）（たとえば、ホーム）フェムト・ノード１１１０のセットがサービスすることはできるが、指定されていないフェムト・ノード１１１０（たとえば、ネイバーのフェムト・ノード１１１０）がサービスすることはできない。
【００８９】
図１２に、いくつかのトラッキング・エリア１２０２（またはルーティングエリアまたはロケーションエリア）が画定されたカバレージマップ１２００の例を示し、そのエリアの各々はいくつかのマクロ・カバレージ・エリア１２０４を含む。ここで、トラッキング・エリア１２０２Ａ、１２０２Ｂ、および１２０２Ｃに関連付けられたカバレージのエリアは太線によって示し、マクロ・カバレージ・エリア１２０４はより大きい六角形によって表している。トラッキング・エリア１２０２はフェムト・カバレージ・エリア１２０６をも含む。この例では、フェムト・カバレージ・エリア１２０６の各々（たとえば、フェムト・カバレージ・エリア１２０６Ｃ）を１つまたは複数のマクロ・カバレージ・エリア１２０４（たとえば、マクロ・カバレージ・エリア１２０４Ｂ）内に示してある。ただし、フェムト・カバレージ・エリア１２０６の一部または全部がマクロ・カバレージ・エリア１２０４内にないことがあることを諒解されたい。実際問題として、多数のフェムト・カバレージ・エリア１２０６を所与のトラッキング・エリア１２０２またはマクロ・カバレージ・エリア１２０４とともに画定することができる。また、１つまたは複数のピコカバレージ・エリア（図示せず）を所与のトラッキング・エリア１２０２またはマクロ・カバレージ・エリア１２０４内に画定することができる。
【００９０】
再び図１１を参照すると、フェムト・ノード１１１０の所有者は、たとえば、３Ｇモバイルサービスなど、モバイル・オペレータ・コア・ネットワーク１１５０を介して提供されるモバイルサービスに加入することができる。さらに、アクセス端末１１２０は、上述のように、マクロ環境と、より小規模（たとえば、住居）のネットワーク環境の両方で動作することが可能である。言い換えれば、アクセス端末１１２０の現在のロケーションに応じて、アクセス端末１１２０は、モバイル・オペレータ・コア・ネットワーク１１５０に関連付けられたマクロセル・アクセス・ポイント１１６０によって、または、フェムト・ノード１１１０のセットのいずれか１つ（たとえば、対応するユーザ住居１１３０内に常駐するフェムト・ノード１１１０Ａおよび１１１０Ｂ）によってサービスされることがある。たとえば、加入者が自宅の外にいるとき、標準のマクロ・アクセス・ポイント（たとえば、アクセス・ポイント１１６０）によってサービスされ、自宅の中にいるとき、フェムト・ノード（たとえば、ノード１１１０Ａ）によってサービスされる。ここで、フェムト・ノード１１１０は、レガシー・アクセス端末１１２０と後方互換性がある。
【００９１】
フェムト・ノードは、いくつかの態様では、制限されることがある。たとえば、所与のフェムト・ノードは、いくつかのサービスをいくつかのアクセス端末のみに提供することができる。いわゆる制限（または限定）関連付けを用いた展開では、所与のアクセス端末が、マクロセル・モバイル・ネットワークと、フェムト・ノードの定義されたセット（たとえば、対応するユーザ住居１１３０内に常駐するフェムト・ノード１１１０）とによってのみサービスされる。いくつかの実装形態では、ノードは、少なくとも１つのノードにシグナリング、データ・アクセス、登録、ページング、またはサービスのうちの少なくとも１つを与えないように制限される。
【００９２】
いくつかの態様では、（限定加入者グループＨｏｍｅ  ＮｏｄｅＢと呼ばれることもある）制限されたフェムト・ノードは、制限された準備されたアクセス端末のセットにサービスを提供するノードである。このセットは、必要に応じて、一時的にまたは永続的に拡大できる。いくつかの態様では、限定加入者グループ（「ＣＳＧ」）は、アクセス端末の共通のアクセス制御リストを共有するアクセス・ポイント（たとえば、フェムト・ノード）のセットとして定義できる。
【００９３】
したがって、所与のフェムト・ノードと所与のアクセス端末との間には様々な関係が存在する。たとえば、アクセス端末の観点から、開いたフェムト・ノードは、制限された関連付けをもたない（たとえば、フェムト・ノードが任意のアクセス端末へのアクセスを許す）フェムト・ノードを指す。制限されたフェムト・ノードは、何らかの形で制限された（たとえば、関連付けおよび／または登録のために制限された）フェムト・ノードを指す。ホーム・フェムト・ノードは、アクセス端末がアクセスし、その上で動作することを許可される（たとえば、永続的なアクセスが、１つまたは複数のアクセス端末の定義されたセットに与えられる）フェムト・ノードを指す。ゲスト・フェムト・ノードは、アクセス端末がアクセスし、またはその上で動作することを一時的に許可されるフェムト・ノードを指す。外来フェムト・ノードは、おそらく非常事態（たとえば、９１１番）を除いて、アクセス端末がアクセスし、またはその上で動作することを許可されないフェムト・ノードを指す。
【００９４】
制限されたフェムト・ノードの観点から、ホームアクセス端末は、制限されたフェムト・ノードへのアクセスを許可されるアクセス端末を指す（たとえば、アクセス端末は、フェムト・ノードへの永続的なアクセスを有する）。ゲストアクセス端末は、（たとえば、最終期限、使用の時間、バイト、接続カウントまたは何らかの他の１つまたは複数の基準に基づいて限定される）制限されたフェムト・ノードへの一時的アクセスをもつアクセス端末を指す。外来アクセス端末は、たとえば、おそらく９１１番などの非常事態を除いて、制限されたフェムト・ノードにアクセスする許可を有していないアクセス端末（たとえば、制限されたフェムト・ノードに登録する証明書または許可を有していないアクセス端末）を指す。
【００９５】
便宜のために、本明細書の開示では、フェムト・ノードの文脈で様々な機能について説明する。ただし、ピコノードは、より大きいカバレージ・エリアに同じまたは同様の機能を提供することができることを諒解されたい。たとえば、所与のアクセス端末に対して、ピコノードを制限すること、ホームピコノードを定義することなどが可能である。
【００９６】
ワイヤレス多元接続通信システムは、複数のワイヤレス・アクセス端末のための通信を同時にサポートすることができる。各端末は、順方向リンクおよび逆方向リンク上の送信を介して１つまたは複数のアクセス・ポイントと通信することができる。順方向リンク（すなわち、ダウンリンク）は、アクセス・ポイントから端末への通信リンクを指し、逆方向リンク（すなわち、アップリンク）は、端末からアクセス・ポイントへの通信リンクを指す。この通信リンクは、単入力単出力システム、多入力多出力（「ＭＩＭＯ」）システム、または何らかの他のタイプのシステムを介して確立できる。
【００９７】
ＭＩＭＯシステムは、データ伝送用の複数（ＮT）個の送信アンテナと複数（ＮR）個の受信アンテナとを採用する。ＮT個の送信アンテナとＮR個の受信アンテナとによって形成されたＭＩＭＯチャネルは、空間チャネルとも呼ばれるＮS個の独立チャネルに分解でき、ここで、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。
【００９８】
ＭＩＭＯシステムは時分割複信（「ＴＤＤ」）および周波数分割複信（「ＦＤＤ」）をサポートすることができる。ＴＤＤシステムでは、順方向および逆方向リンク伝送が同一周波数領域上で行われるので、相反定理による逆方向リンクチャネルからの順方向リンクチャネルの推定が可能である。これにより、複数のアンテナがアクセス・ポイントで利用可能なとき、アクセス・ポイントは順方向リンク上で送信ビーム形成利得を抽出することが可能になる。
【００９９】
本明細書の教示は、少なくとも１つの他のノードと通信するための様々な構成要素を採用するノード（たとえば、デバイス）に組み込むことができる。図１３に、ノード間の通信を可能にするために採用できるいくつかの例示的な構成要素を示す。特に、図１３に、ＭＩＭＯシステム１３００のワイヤレス・デバイス１３１０（たとえば、アクセス・ポイント）とワイヤレス・デバイス１３５０（たとえば、アクセス端末）とを示す。デバイス１３１０では、いくつかのデータ・ストリームのトラフィック・データがデータソース１３１２から送信（「ＴＸ」）データ・プロセッサ１３１４に供給される。
【０１００】
いくつかの態様では、各データ・ストリームは、それぞれの送信アンテナを介して送信される。ＴＸデータ・プロセッサ１３１４は、符号化データを供給するために、そのデータ・ストリーム用に選択された特定のコーディング方式に基づいて、データ・ストリームごとにトラフィック・データをフォーマット化し、符号化し、インターリーブする。
【０１０１】
各データ・ストリームの符号化データは、ＯＦＤＭ技法を使用してパイロット・データで多重化できる。パイロット・データは、典型的には、知られている方法で処理され、チャネル応答を推定するために受信機システムにおいて使用できるとして知られているデータパターンである。次いで、各データ・ストリームの多重化されたパイロット・データおよび符号化データは、変調シンボルを供給するために、そのデータ・ストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボル・マッピング）される。各データ・ストリームのデータ転送速度、符号化、および変調は、プロセッサ１３３０によって実行される命令によって決定される。データ・メモリ１３３２は、デバイス１３１０のプロセッサ１３３０または他の構成要素によって使用されるプログラムコード、データおよび他の情報を記憶する。
【０１０２】
次いで、すべてのデータ・ストリームの変調シンボルがＴＸ  ＭＩＭＯプロセッサ１３２０に供給され、ＴＸ  ＭＩＭＯプロセッサ１３２０はさらに（たとえば、ＯＦＤＭの場合）その変調シンボルを処理する。次いで、ＴＸ  ＭＩＭＯプロセッサ１３２０は、ＮT個の変調シンボル・ストリームをＮT個のトランシーバ（「ＸＣＶＲ」）１３２２Ａ〜１３２２Ｔに供給する。いくつかの態様では、ＴＸ  ＭＩＭＯプロセッサ１３２０は、データ・ストリームのシンボルと、シンボルが送信されているアンテナとにビーム形成重みを付加する。
【０１０３】
各トランシーバ１３２２は、それぞれのシンボル・ストリームを受信し、処理して、１つまたは複数のアナログ信号を供給し、さらに、それらのアナログ信号を調整（たとえば、増幅、フィルタリング、およびアップコンバート）して、ＭＩＭＯチャネルを介して送信するのに適した変調信号を供給する。次いで、トランシーバ１３２２Ａ〜１３２２ＴからのＮT個の変調信号は、それぞれ、ＮT個のアンテナ１３２４Ａ〜１３２４Ｔから送信される。
【０１０４】
デバイス１３５０では、送信された変調信号はＮR個のアンテナ１３５２Ａ〜１３５２Ｒによって受信され、各アンテナ１３５２からの受信信号は、それぞれのトランシーバ（「ＸＣＶＲ」）１３５４Ａ〜１３５４Ｒに供給される。各トランシーバ１３５４は、それぞれの受信信号を調整（たとえば、フィルタリング、増幅、およびダウンコンバート）し、調整された信号をデジタル化して、サンプルを供給し、さらにそれらのサンプルを処理して、対応する「受信」シンボル・ストリームを供給する。
【０１０５】
次いで、受信（「ＲＸ」）データ・プロセッサ１３６０は、特定の受信機処理技法に基づいてＮR個のトランシーバ１３５４からＮR個の受信シンボル・ストリームを受信し、処理して、ＮT個の「検出」シンボル・ストリームを供給する。次いで、ＲＸデータ・プロセッサ１３６０は、各検出シンボル・ストリームを復調し、デインターリーブし、復号して、データ・ストリームに対するトラフィック・データを回復する。ＲＸデータ・プロセッサ１３６０による処理は、デバイス１３１０におけるＴＸ  ＭＩＭＯプロセッサ１３２０およびＴＸデータ・プロセッサ１３１４によって実行される処理を補足するものである。
【０１０６】
プロセッサ１３７０は、どのプリコーディング行列（以下で説明する）を使用すべきかを定期的に判断する。プロセッサ１３７０は、行列インデックス部とランク値部とを備える逆方向リンク・メッセージを作成する。データ・メモリ１３７２は、デバイス１３５０のプロセッサ１３７０または他の構成要素によって使用されるプログラムコード、データおよび他の情報を記憶する。
【０１０７】
逆方向リンク・メッセージは、通信リンクおよび／または受信データ・ストリームに関する様々なタイプの情報を備えることができる。次いで、逆方向リンク・メッセージは、データソース１３３６からいくつかのデータ・ストリームのトラフィック・データをも受信するＴＸデータ・プロセッサ１３３８によって処理され、変調器１３８０によって変調され、トランシーバ１３５４Ａ〜１３５４Ｒによって調整され、デバイス１３１０に戻される。
【０１０８】
デバイス１３１０において、デバイス１３５０からの変調信号は、アンテナ１３２４によって受信され、トランシーバ１３２２によって調整され、復調器（「ＤＥＭＯＤ」）１３４０によって復調され、ＲＸデータ・プロセッサ１３４２によって処理されて、デバイス１３５０によって送信された逆方向リンク・メッセージが抽出される。次いで、プロセッサ１３３０は、ビーム形成重みを決定するためにどのプリコーディング行列を使用すべきかを判断し、次いで、抽出されたメッセージを処理する。
【０１０９】
図１３はまた、通信構成要素が、本明細書で教示するページング／電力制御動作を実行する１つまたは複数の構成要素を含むことができることを示す。たとえば、ページング／電力制御構成要素１３９０は、デバイス１３１０のプロセッサ１３３０および／または他の構成要素と協働して、本明細書で教示する別のデバイス（たとえば、デバイス１３５０）との間で信号を送信／受信することができる。同様に、ページング／電力制御構成要素１３９２は、デバイス１３５０のプロセッサ１３７０および／または他の構成要素と協働して、別のデバイス（たとえば、デバイス１３１０）との間で信号を送信／受信することができる。各デバイス１３１０および１３５０について、記載の構成要素の２つ以上の機能が単一の構成要素によって提供できることを諒解されたい。たとえば、単一の処理構成要素が、ページング／電力制御構成要素１３９０およびプロセッサ１３３０の機能を提供し、また、単一の処理構成要素が、ページング／電力制御構成要素１３９２およびプロセッサ１３７０の機能を提供することができる。
【０１１０】
本明細書の教示は、様々なタイプの通信システムおよび／またはシステム構成要素に組み込むことができる。いくつかの態様では、本明細書の教示は、利用可能なシステムリソースを共有することによって（たとえば、帯域幅、送信電力、コーディング、インターリーブなどのうちの１つまたは複数を指定することによって）、複数のユーザとの通信をサポートすることが可能な多元接続システムで採用できる。たとえば、本明細書の教示は、符号分割多元接続（「ＣＤＭＡ」）システム、多重キャリアＣＤＭＡ（「ＭＣＣＤＭＡ」）、Ｗｉｄｅｂａｎｄ  ＣＤＭＡ（「Ｗ−ＣＤＭＡ」）、高速パケットアクセス（「ＨＳＰＡ」、「ＨＳＰＡ＋」）システム、時分割多元接続（「ＴＤＭＡ」）システム、周波数分割多元接続（「ＦＤＭＡ」）システム、シングルキャリアＦＤＭＡ（「ＳＣ−ＦＤＭＡ」）システム、直交周波数分割多元接続（「ＯＦＤＭＡ」）システム、または他の多元接続技法の技術のいずれか１つまたは組合せに適用される。本明細書の教示を採用するワイヤレス通信システムは、ＩＳ−９５、ｃｄｍａ２０００、ＩＳ−８５６、Ｗ−ＣＤＭＡ、ＴＤＳＣＤＭＡ、および他の規格など、１つまたは複数の規格を実装するように設計される。ＣＤＭＡネットワークは、Universal Terrestrial Radio Access（「ＵＴＲＡ」）、ｃｄｍａ２０００、または何らかの他の技術などの無線技術を実装することができる。ＵＴＲＡは、Ｗ−ＣＤＭＡおよび低チップレート（「ＬＣＲ」）を含む。ｃｄｍａ２０００技術は、ＩＳ−２０００、ＩＳ−９５、およびＩＳ−８５６規格をカバーする。ＴＤＭＡネットワークは、Global System for Mobile Communications（「ＧＳＭ（登録商標）」）などの無線技術を実装することができる。ＯＦＤＭＡネットワークは、Ｅｖｏｌｖｅｄ  ＵＴＲＡ（「Ｅ−ＵＴＲＡ」）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装することができる。ＵＴＲＡ、Ｅ−ＵＴＲＡ、およびＧＳＭは、Universal Mobile Telecommunication System（「ＵＭＴＳ」）の一部である。本明細書の教示は、３ＧＰＰ  Ｌｏｎｇ  Ｔｅｒｍ  Ｅｖｏｌｕｔｉｏｎ（「ＬＴＥ」）システム、Ｕｌｔｒａ  Ｍｏｂｉｌｅ  Ｂｒｏａｄｂａｎｄ（「ＵＭＢ」）システム、および他のタイプのシステムで実装できる。ＬＴＥは、Ｅ−ＵＴＲＡを使用するＵＭＴＳのリリースである。本開示のいくつかの態様については、３ＧＰＰ用語を使用して説明するが、本明細書の教示は、３ＧＰＰ（Ｒｅｌ９９、Ｒｅｌ５、Ｒｅｌ６、Ｒｅｌ７）技術、ならびに３ＧＰＰ２（１ｘＲＴＴ、１ｘＥＶ−ＤＯ  Ｒｅｌ０、ＲｅｖＡ、ＲｅｖＢ）技術および他の技術に適用できることを理解されたい。
【０１１１】
本明細書の教示は、様々な装置（たとえば、ノード）に組み込む（たとえば、装置内に実装する、または装置によって実行する）ことができる。いくつかの態様では、本明細書の教示に従って実装されるノード（たとえば、ワイヤレス・ノード）はアクセス・ポイントまたはアクセス端末を備えることができる。
【０１１２】
たとえば、アクセス端末は、ユーザ機器、加入者局、加入者ユニット、移動局、モバイル、モバイル・ノード、リモート局、リモート端末、ユーザ端末、ユーザ・エージェント、ユーザ・デバイス、または何らかの他の用語を備えるか、それらのいずれかとして実装されるか、あるいはそれらのいずれかとして知られる。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルド・デバイス、またはワイヤレス・モデムに接続された何らかの他の好適な処理デバイスを備えることができる。したがって、本明細書で教示する１つまたは複数の態様は、電話（たとえば、セルラー電話またはスマートフォン）、コンピュータ（たとえば、ラップトップ）、携帯型通信デバイス、携帯型コンピューティング・デバイス（たとえば、個人情報端末）、娯楽デバイス（たとえば、音楽デバイスまたはビデオ・デバイス、あるいは衛星ラジオ）、全地球測位システムデバイス、あるいはワイヤレス媒体を介して通信するように構成された他の好適デバイスに組み込むことができる。
【０１１３】
アクセス・ポイントは、ノードＢ、ｅＮｏｄｅＢ、無線ネットワーク制御装置（「ＲＮＣ」）、基地局（「ＢＳ」）、無線基地局（「ＲＢＳ」）、基地局制御装置（「ＢＳＣ」）、送受信基地局（「ＢＴＳ」）、トランシーバ機能（「ＴＦ」）、無線トランシーバ、無線ルータ、基本サービスセット（「ＢＳＳ」）、拡張サービスセット（「ＥＳＳ」）、マクロセル、マクロ・ノード、ホームｅＮＢ（「ＨｅＮＢ」）、フェムトセル、フェムト・ノード、ピコノード、または何らかの他の同様の用語を備えるか、それらのいずれかとして実装されるか、あるいはそれらのいずれかとして知られる。
【０１１４】
いくつかの態様では、ノード（たとえば、アクセス・ポイント）は、通信システムのためのアクセス・ノードを備えることができる。そのようなアクセス・ノードは、たとえば、ネットワークへのワイヤードまたはワイヤレス通信リンクを介した、ネットワーク（たとえば、インターネットまたはセルラー・ネットワークなどワイドエリア・ネットワーク）のための、またはネットワークへの接続性を与えることができる。したがって、アクセス・ノードは、別のノード（たとえば、アクセス端末）がネットワークまたは何らかの他の機能にアクセスできるようにすることができる。さらに、一方または両方のノードはポータブルでも、場合によっては比較的非ポータブルでもよいことを諒解されたい。
【０１１５】
また、ワイヤレス・ノードは、有線の方式で（たとえば、有線接続を介して）情報を送信および／または受信することができることを諒解されたい。したがって、本明細書で説明する受信機および送信機は、非ワイヤレス媒体を介して通信するために適切な通信インターフェース構成要素（たとえば、電子的または光学的インターフェース構成要素）を含むことができる。
【０１１６】
ワイヤレス・ノードは、好適なワイヤレス通信技術に基づくあるいはサポートする１つまたは複数のワイヤレス通信リンクを介して通信することができる。たとえば、いくつかの態様では、ワイヤレス・ノードはネットワークに関連付けることができる。いくつかの態様では、ネットワークはローカル・エリア・ネットワークまたはワイドエリア・ネットワークを備えることができる。ワイヤレス・デバイスは、本明細書で説明する様々なワイヤレス通信技術、プロトコル、または規格（たとえば、ＣＤＭＡ、ＴＤＭＡ、ＯＦＤＭ、ＯＦＤＭＡ、ＷｉＭＡＸ、Ｗｉ−Ｆｉなど）のうちの１つまたは複数をサポートまたは使用することができる。同様に、ワイヤレス・ノードは、様々な対応する変調方式または多重化方式のうちの１つまたは複数をサポートまたは使用することができる。したがって、ワイヤレス・ノードは、上記または他のワイヤレス通信技術を使用して１つまたは複数のワイヤレス通信リンクを確立し、それを介して通信するために適切な構成要素（たとえば、エアインターフェース）を含むことができる。たとえば、ワイヤレス・ノードは、ワイヤレス媒体上の通信を可能にする様々な構成要素（たとえば、信号発生器および信号処理器）を含むことができる関連する送信機構成要素および受信機構成要素をもつワイヤレストランシーバを備えることができる。
【０１１７】
（たとえば、添付の図の１つまたは複数に関して）本明細書で説明した機能は、いくつかの態様では、添付の特許請求の範囲において同様に指定された「手段」機能に対応することがある。図１４〜図２１を参照すると、装置１４００、１５００、１６００、１７００、１８００、１９００、２０００、および２１００は一連の相互に関連する機能モジュールとして表される。ここで、パケット受信モジュール１４０２は、少なくともいくつかの態様では、たとえば、本明細書で説明するパケットプロセッサに対応することがある。ページングモジュール１４０４、アイドル・コンテキスト維持モジュール１４０６、アイドル・コンテキスト取得モジュール１４０８、およびページ要求アイドル・コンテキスト維持モジュール１４１２は、それぞれ、少なくともいくつかの態様では、たとえば、本明細書で説明するページング・コントローラに対応することがある。登録メッセージ受信モジュール１４１０は、少なくともいくつかの態様では、たとえば、本明細書で説明する通信コントローラに対応することがある。メッセージ受信モジュール１５０２は、少なくともいくつかの態様では、たとえば、本明細書で説明する通信コントローラに対応することがある。メッセージ送信モジュール１５０４は、少なくともいくつかの態様では、たとえば、本明細書で説明するページング・コントローラに対応することがある。ページ判断モジュール１５０６は、少なくともいくつかの態様では、たとえば、本明細書で説明するページング・コントローラに対応することがある。パケット受信モジュール１６０２およびパケットタイプ判断モジュール１６０４は、少なくともいくつかの態様では、たとえば、本明細書で説明するパケットプロセッサに対応することがある。選択的フィルタリング・モジュール１６０６は、少なくともいくつかの態様では、たとえば、本明細書で説明するパケット・フィルタに対応することがある。動作モード判断モジュール１７０２は、少なくともいくつかの態様では、たとえば、本明細書で説明するモード・コントローラに対応することがある。パケット受信モジュール１７０４およびパケットタイプ判断モジュール１７０６は、少なくともいくつかの態様では、たとえば、本明細書で説明するパケットプロセッサに対応することがある。ページ判断モジュール１７０８は、少なくともいくつかの態様では、たとえば、本明細書で説明するページング・コントローラに対応することがある。動作モード選択モジュール１８０２は、少なくともいくつかの態様では、たとえば、本明細書で説明するモード・コントローラに対応することがある。指示送信モジュール１８０４は、少なくともいくつかの態様では、たとえば、本明細書で論じる通信コントローラに対応することがある。パケット受信モジュール１９０２およびパケットタイプ判断モジュール１９０４は、少なくともいくつかの態様では、たとえば、本明細書で説明するパケットプロセッサに対応することがある。ページ送信モジュール１９０６は、少なくともいくつかの態様では、たとえば、本明細書で説明するページング・コントローラに対応することがある。ページ受信モジュール２００２は、少なくともいくつかの態様では、たとえば、本明細書で説明するページング・コントローラに対応することがある。パケット受信判断モジュール２００４は、少なくともいくつかの態様では、たとえば、本明細書で説明するパケットプロセッサに対応することがある。アクセス判断モジュール２１０２は、少なくともいくつかの態様では、たとえば、本明細書で説明するモード・コントローラに対応することがある。ローカル・リンク・インターフェース無効化モジュール２１０４は、少なくともいくつかの態様では、たとえば、本明細書で論じる通信コントローラに対応することがある。
【０１１８】
図１４〜図２１のモジュールの機能は、本明細書の教示に合致する様々な方法で実装できる。いくつかの態様では、これらのモジュールの機能は、１つまたは複数の電気構成要素として実装できる。いくつかの態様では、これらのブロックの機能は、１つまたは複数のプロセッサ構成要素を含む処理システムとして実装できる。いくつかの態様では、これらのモジュールの機能は、たとえば、１つまたは複数の集積回路（たとえば、ＡＳＩＣ）の少なくとも一部を使用して実装できる。本明細書で論じるように、集積回路は、プロセッサ、ソフトウェア、他の関連した構成要素、またはそれらの何らかの組合せを含むことができる。これらのモジュールの機能は、本明細書で教示する方法とは別の何らかの方法で実装することもできる。いくつかの態様では、図１４〜図２１の１つまたは複数の破線ブロックは随意である。
【０１１９】
本明細書における「第１」、「第２」などの名称を使用した要素への言及は、それらの要素の数量または順序を概括的に限定するものでないことを理解されたい。むしろ、これらの名称は、本明細書において２つ以上の要素またはある要素の複数の例を区別する便利な方法として使用できる。したがって、第１および第２の要素への言及は、そこで２つの要素のみが採用できること、または第１の要素が何らかの方法で第２の要素に先行しなければならないことを意味するものではない。また、別段の規定がない限り、要素のセットは１つまたは複数の要素を備えることがある。さらに、明細書または特許請求の範囲において使用される「Ａ、Ｂ、またはＣのうちの少なくとも１つ」という形式の用語は、「ＡまたはＢまたはＣ、あるいはこれらの要素の任意の組合せ」を意味する。
【０１２０】
情報および信号は様々な異なる技術および技法のいずれかを使用して表すことができることを、当業者は理解されよう。たとえば、上記の説明全体にわたって言及されるデータ、命令、コマンド、情報、信号、ビット、シンボル、およびチップは、電圧、電流、電磁波、磁界または磁性粒子、光場または光学粒子、あるいはそれらの任意の組合せによって表すことができる。
【０１２１】
さらに、本明細書で開示された態様に関して説明した様々な例示的な論理ブロック、モジュール、プロセッサ、手段、回路、およびアルゴリズム・ステップのいずれかは、電子ハードウェア（たとえば、ソースコーディングまたは何らかの他の技法を使用して設計できる、デジタル実装形態、アナログ実装形態、またはそれら２つの組合せ）、命令を組み込んだ様々な形態のプログラムまたは設計コード（便宜上、本明細書では「ソフトウェア」または「ソフトウェアモジュール」と呼ぶことがある）、あるいは両方の組合せとして実装できることを当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装することができるが、そのような実装の決定は、本開示の範囲からの逸脱を生じるものと解釈すべきではない。
【０１２２】
本明細書で開示した態様に関して説明した様々な例示的な論理ブロック、モジュールおよび回路は、集積回路（「ＩＣ」）、アクセス端末、またはアクセス・ポイント内に実装できるか、またはそれらによって実行できる。ＩＣは、汎用プロセッサ、デジタル信号プロセッサ（ＤＳＰ）、特定用途向け集積回路（ＡＳＩＣ）、フィールド・プログラマブル・ゲートアレイ（ＦＰＧＡ）もしくは他のプログラマブル論理デバイス、個別ゲートもしくはトランジスタロジック、個別ハードウェア構成要素、電子的構成要素、光学的構成要素、機械的構成要素、または本明細書に記載の機能を実行するように設計されたそれらの任意の組合せを備えることができ、ＩＣの内部に、ＩＣの外側に、またはその両方に常駐するコードまたは命令を実行することができる。汎用プロセッサはマイクロプロセッサとすることができるが、代替として、プロセッサは、任意の従来のプロセッサ、コントローラ、マイクロ・コントローラ、または状態機械とすることができる。プロセッサは、コンピューティング・デバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【０１２３】
開示されたプロセス中のステップの特定の順序または階層は例示的な手法の一例であることを理解されたい。設計の選好に基づいて、プロセス中のステップの特定の順序または階層は本開示の範囲内のまま再構成できることを理解されたい。添付の方法クレームは、様々なステップの要素を例示的な順序で提示したものであり、提示された特定の順序または階層に限定されるものではない。
【０１２４】
１つまたは複数の例示的な実施形態では、説明した機能はハードウェア、ソフトウェア、ファームウェア、またはその任意の組合せで実装できる。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスできる任意の利用可能な媒体でよい。限定ではなく例として、そのようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶デバイス、または命令もしくはデータ構造の形態の所望のプログラムコードを担持または記憶するために使用でき、コンピュータによってアクセスできる任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。コンピュータ可読媒体は任意の好適なコンピュータプログラム製品に実装できることを諒解されたい。
【０１２５】
開示された態様の前述の説明は、当業者が本開示を実施または使用できるようにするために提供されるものである。これらの態様への様々な変更は当業者にはすぐに明らかになり、本明細書で定義された包括的な原理は本開示の範囲から逸脱することなく他の態様に適用できる。したがって、本開示は、本明細書で示した態様に限定されるものではなく、本明細書で開示した原理および新規の特徴に一致する最も広い範囲を与えられるべきである。
以下に、本願出願の当初の特許請求の範囲に記載された発明を付記する。
［１］  アクセス・ポイントにおいて、前記アクセス・ポイントによってサービスされるアクセス端末が第１のモードで動作しているのか、または第２のモードで動作しているのかを判断することであって、前記第１のモードでは、非ユニキャスト・パケットに対して前記アクセス端末をページングすべきであり、前記第２のモードでは、非ユニキャスト・パケットに対して前記アクセス端末をページングすべきでない、判断することと、
前記アクセス・ポイントにおいて前記アクセス端末に宛てられたパケットを受信することと、
前記受信パケットのパケットタイプを判断することであって、前記受信パケットが非ユニキャスト・パケットであるかどうかを前記パケットタイプが指示する、判断することと、
前記判断されたタイプと前記アクセス端末が前記第１のモードで動作しているのか、または前記第２のモードで動作しているのかの前記判断とに基づいて、前記パケットの前記受信の結果として前記アクセス端末をページングすべきかどうかを判断することと、
を備える通信の方法。
［２］  前記アクセス端末が前記第１の動作モードで動作しているのか、または前記第２のモードで動作しているのかの前記判断が、レイヤ２プロトコルを介して前記アクセス端末から動作モード指示を受信することを備える［１］に記載の方法。
［３］  前記アクセス端末が前記第１の動作モードで動作しているのか、または前記第２のモードで動作しているのかの前記判断が、レイヤ３プロトコルを介して前記アクセス端末から動作モード指示を受信することを備える［１］に記載の方法。
［４］  前記非ユニキャスト・パケットがブロードキャスト・パケットである［１］に記載の方法。
［５］  前記アクセス・ポイントが接続されたローカル・ネットワークから前記パケットを受信する［１］に記載の方法。
［６］  前記ローカル・ネットワークが、
ローカル・エリア・ネットワーク、または
セルラー・ネットワークを介してアクセスされないインターネット接続を備える［５］に記載の方法。
［７］  アクセス・ポイントにおいて、前記アクセス・ポイントによってサービスされるアクセス端末が第１のモードで動作しているのか、または第２のモードで動作しているのかを判断するように構成されたモード・コントローラであって、前記第１のモードでは、非ユニキャスト・パケットに対して前記アクセス端末をページングすべきであり、第２のモードでは、非ユニキャスト・パケットに対して前記アクセス端末をページングすべきでない、モード・コントローラと、
前記アクセス・ポイントにおいて前記アクセス端末に宛てられたパケットを受信するように構成され、さらに、前記受信パケットのパケットタイプを判断するように構成されたパケットプロセッサであって、前記受信パケットが非ユニキャスト・パケットであるかどうかを前記パケットタイプが指示する、パケットプロセッサと、
前記判断されたタイプと前記アクセス端末が前記第１のモードで動作しているのか、または前記第２のモードで動作しているのかの前記判断とに基づいて、前記パケットの前記受信の結果として前記アクセス端末をページングすべきかどうかを判断するように構成されたページング・コントローラと、
を備える通信のための装置。
［８］  前記アクセス端末が前記第１の動作モードで動作しているのか、または前記第２のモードで動作しているのかの前記判断が、レイヤ２プロトコルを介して前記アクセス端末から動作モード指示を受信することを備える［７］に記載の装置。
［９］  前記アクセス端末が前記第１の動作モードで動作しているのか、または前記第２のモードで動作しているのかの前記判断が、レイヤ３プロトコルを介して前記アクセス端末から動作モード指示を受信することを備える［７］に記載の装置。
［１０］  前記アクセス・ポイントが接続されたローカル・ネットワークから前記パケットを受信する［７］に記載の装置。
［１１］  アクセス・ポイントにおいて、前記アクセス・ポイントによってサービスされるアクセス端末が第１のモードで動作しているのか、または第２のモードで動作しているのかを判断するための手段であって、前記第１のモードでは、非ユニキャスト・パケットに対して前記アクセス端末をページングすべきであり、前記第２のモードでは、非ユニキャスト・パケットに対して前記アクセス端末をページングすべきでない、判断するための手段と、
前記アクセス・ポイントにおいて前記アクセス端末に宛てられたパケットを受信するための手段と、
前記受信パケットのパケットタイプを判断するための手段であって、前記受信パケットが非ユニキャスト・パケットであるかどうかを前記パケットタイプが指示する、判断するための手段と、
前記判断されたタイプと前記アクセス端末が前記第１のモードで動作しているのか、または前記第２のモードで動作しているのかの前記判断とに基づいて、前記パケットの前記受信の結果として前記アクセス端末をページングすべきかどうかを判断するための手段と、
を備える通信のための装置。
［１２］  前記アクセス端末が前記第１の動作モードで動作しているのか、または前記第２のモードで動作しているのかの前記判断が、レイヤ２プロトコルを介して前記アクセス端末から動作モード指示を受信することを備える［１１］に記載の装置。
［１３］  前記アクセス端末が前記第１の動作モードで動作しているのか、または前記第２のモードで動作しているのかの前記判断が、レイヤ３プロトコルを介して前記アクセス端末から動作モード指示を受信することを備える［１１］に記載の装置。
［１４］  前記アクセス・ポイントが接続されたローカル・ネットワークから前記パケットを受信する［１１］に記載の装置。
［１５］  アクセス・ポイントにおいて、前記アクセス・ポイントによってサービスされるアクセス端末が第１のモードで動作しているのか、または第２のモードで動作しているのかを判断することであって、前記第１のモードでは、非ユニキャスト・パケットに対して前記アクセス端末をページングすべきであり、前記第２のモードでは、非ユニキャスト・パケットに対して前記アクセス端末をページングすべきでない、判断することと、
前記アクセス・ポイントにおいて前記アクセス端末に宛てられたパケットを受信することと、
前記受信パケットのパケットタイプを判断することであって、前記受信パケットが非ユニキャスト・パケットであるかどうかを前記パケットタイプが指示する、判断することと、
前記判断されたタイプと前記アクセス端末が前記第１のモードで動作しているのか、または前記第２のモードで動作しているのかの前記判断とに基づいて、前記パケットの前記受信の結果として前記アクセス端末をページングすべきかどうかを判断することと、
をコンピュータに行わせるためのコードを備えるコンピュータ可読媒体を備えるコンピュータプログラム製品。
［１６］  前記アクセス端末が前記第１の動作モードで動作しているのか、または前記第２のモードで動作しているのかの前記判断が、レイヤ２プロトコルを介して前記アクセス端末から動作モード指示を受信することを備える［１５］に記載のコンピュータプログラム製品。
［１７］  前記アクセス端末が前記第１の動作モードで動作しているのか、または前記第２のモードで動作しているのかの前記判断が、レイヤ３プロトコルを介して前記アクセス端末から動作モード指示を受信することを備える［１５］に記載のコンピュータプログラム製品。
［１８］  前記アクセス・ポイントが接続されたローカル・ネットワークから前記パケットを受信する［１５］に記載のコンピュータプログラム製品。
［１９］  アクセス端末において、第１のモードで動作するのか、または第２のモードで動作するのかを選択することであって、前記第１のモードでは、非ユニキャスト・パケットに対して前記アクセス端末をページングすべきであり、前記第２のモードでは、非ユニキャスト・パケットに対して前記アクセス端末をページングすべきでない、選択することと、
前記アクセス端末をサービスするアクセス・ポイントに前記選択の指示を送信することと、
を備える通信の方法。
［２０］  前記選択が、前記アクセス端末上で実行されるアプリケーションによって自律的に実行される［１９］に記載の方法。
［２１］  前記選択が、前記アクセス端末のユーザ入力デバイスから信号を受信することを備える［１９］に記載の方法。
［２２］  前記選択が、前記アクセス・ポイントが接続されたローカル・ネットワークからリソースにアクセスするという決定に基づく、［１９］に記載の方法。
［２３］  前記ローカル・ネットワークが、
ローカル・エリア・ネットワーク、または
セルラー・ネットワークを介してアクセスされないインターネット接続を備える［２２］に記載の方法。
［２４］  前記指示がレイヤ２プロトコルを介して送信される［１９］に記載の方法。
［２５］  前記指示がレイヤ３プロトコルを介して送信される［１９］に記載の方法。
［２６］  アクセス・ポイントにおいて、第１のモードで動作するのか、または第２のモードで動作するのかを選択するように構成されたモード・コントローラであって、前記第１のモードでは、非ユニキャスト・パケットに対して前記アクセス端末をページングすべきであり、前記第２のモードでは、非ユニキャスト・パケットに対して前記アクセス端末をページングすべきでない、モード・コントローラと、
前記アクセス端末をサービスするアクセス・ポイントに前記選択の指示を送信するように構成された通信コントローラと、
を備える通信のための装置。
［２７］  前記選択が、前記アクセス端末上で実行されるアプリケーションによって自律的に実行される［２６］に記載の装置。
［２８］  前記選択が、前記アクセス端末のユーザ入力デバイスから信号を受信することを備える［２６］に記載の装置。
［２９］  前記選択が、前記アクセス・ポイントが接続されたローカル・ネットワークからリソースにアクセスするという決定に基づく、［２６］に記載の装置。
［３０］  アクセス・ポイントにおいて、第１のモードで動作するのか、または第２のモードで動作するのかを選択するための手段であって、前記第１のモードでは、非ユニキャスト・パケットに対して前記アクセス端末をページングすべきであり、前記第２のモードでは、非ユニキャスト・パケットに対して前記アクセス端末をページングすべきでない、選択するための手段と、
前記アクセス端末をサービスするアクセス・ポイントに前記選択の指示を送信するための手段と、
を備える通信のための装置。
［３１］  前記選択が、前記アクセス端末上で実行されるアプリケーションによって自律的に実行される［３０］に記載の装置。
［３２］  前記選択が、前記アクセス端末のユーザ入力デバイスから信号を受信することを備える［３０］に記載の装置。
［３３］  前記選択が、前記アクセス・ポイントが接続されたローカル・ネットワークからリソースにアクセスするという決定に基づく、［３０］に記載の装置。
［３４］  アクセス・ポイントにおいて、第１のモードで動作するのか、または第２のモードで動作するのかを選択することであって、前記第１のモードでは、非ユニキャスト・パケットに対して前記アクセス端末をページングすべきであり、前記第２のモードでは、非ユニキャスト・パケットに対して前記アクセス端末をページングすべきでない、選択することと、
前記アクセス端末をサービスするアクセス・ポイントに前記選択の指示を送信することと
をコンピュータに行わせるコードを備えるコンピュータ可読媒体を備えるコンピュータプログラム製品。
［３５］  前記選択が、前記アクセス端末上で実行されるアプリケーションによって自律的に実行される［３４］に記載のコンピュータプログラム製品。
［３６］  前記選択が、前記アクセス端末のユーザ入力デバイスから信号を受信することを備える［３４］に記載のコンピュータプログラム製品。
［３７］  前記選択が、前記アクセス・ポイントが接続されたローカル・ネットワークからリソースにアクセスするという決定に基づく、［３４］に記載のコンピュータプログラム製品。
［３８］  アクセス・ポイントにおいてパケットを受信することであって、前記パケットが、前記アクセス・ポイントによってサービスされるアクセス端末に宛てられる、受信することと、
前記パケットのパケットタイプを判断することと、
前記パケットの前記受信の結果として前記アクセス端末にページを送信することであって、前記ページが前記パケットタイプの指示を備える、送信することと、
を備える通信の方法。
［３９］  前記指示は、前記パケットがユニキャスト・パケットであるのか、または非ユニキャスト・パケットであるのかを指示する［３８］に記載の方法。
［４０］  前記指示が前記パケットのプロトコルを指示する［３８］に記載の方法。
［４１］  前記指示が前記パケットのＵＤＰポートまたはＴＣＰポートを指示する［３８］に記載の方法。
［４２］  前記指示が、前記パケットをローカル・ネットワークを介して受信するのか、またはセルラー・ネットワークを介して受信するのかを指示する［３８］に記載の方法。
［４３］  前記ローカル・ネットワークが、
ローカル・エリア・ネットワーク、または
前記セルラー・ネットワークを介してアクセスされないインターネット接続を備える［４２］に記載の方法。
［４４］  アクセス・ポイントにおいてパケットを受信するように構成され、さらに、前記パケットのパケットタイプを判断するように構成されたパケットプロセッサであって、前記パケットが前記アクセス・ポイントによってサービスされるアクセス端末に宛てられる、パケットプロセッサと、
前記パケットの前記受信の結果として前記アクセス端末にページを送信するように構成されたページング・コントローラであって、前記ページが前記パケットタイプの指示を備える、ページング・コントローラと、
を備える通信のための装置。
［４５］  前記指示は、前記パケットがユニキャスト・パケットであるのか、または非ユニキャスト・パケットであるのかを指示する［４４］に記載の装置。
［４６］  前記指示が、前記パケットをローカル・ネットワークを介して受信するのか、またはセルラー・ネットワークを介して受信するのかを指示する［４４］に記載の装置。
［４７］  アクセス・ポイントにおいてパケットを受信するための手段あって、前記パケットが、前記アクセス・ポイントによってサービスされるアクセス端末に宛てられる、受信するための手段と、
前記パケットのパケットタイプを判断するための手段と、
前記パケットの前記受信の結果として前記アクセス端末にページを送信するための手段であって、前記ページが前記パケットタイプの指示を備える、送信するための手段と、
を備える通信のための装置。
［４８］  前記指示は、前記パケットがユニキャスト・パケットであるのか、または非ユニキャスト・パケットであるのかを指示する［４７］に記載の装置。
［４９］  前記指示が、前記パケットをローカル・ネットワークを介して受信するのか、またはセルラー・ネットワークを介して受信するのかを指示する［４７］に記載の装置。
［５０］  アクセス・ポイントにおいてパケットを受信することであって、前記パケットが、前記アクセス・ポイントによってサービスされるアクセス端末に宛てられる、受信することと、
前記パケットのパケットタイプを判断することと、
前記パケットの前記受信の結果として前記アクセス端末にページを送信することであって、前記ページが前記パケットタイプの指示を備える、送信することと、
をコンピュータに行わせるためのコードを備えるコンピュータ可読媒体を備えるコンピュータプログラム製品。
［５１］  前記指示は、前記パケットがユニキャスト・パケットであるのか、または非ユニキャスト・パケットであるのかを指示する［５０］に記載のコンピュータプログラム製品。
［５２］  前記指示が、前記パケットをローカル・ネットワークを介して受信するのか、またはセルラー・ネットワークを介して受信するのかを指示する［５０］に記載のコンピュータプログラム製品。
［５３］  アクセス端末においてページを受信することであって、前記ページがパケットのパケットタイプの指示を備える、受信することと、
前記パケットタイプに基づいて前記パケットを受信すべきかどうかを判断することと、
を備える通信の方法。
［５４］  前記指示は、前記パケットがユニキャスト・パケットであるのか、または非ユニキャスト・パケットであるのかを指示する［５３］に記載の方法。
［５５］  前記指示が前記パケットのプロトコルを指示する［５３］に記載の方法。
［５６］  前記指示が前記パケットのＵＤＰポートまたはＴＣＰポートを指示する［５３］に記載の方法。
［５７］  前記指示が、ローカル・ネットワークを介して前記パケットを受信するのか、またはセルラー・ネットワークを介して受信するのかを指示する［５３］に記載の方法。
［５８］  前記ローカル・ネットワークが、
ローカル・エリア・ネットワーク、または
前記セルラー・ネットワークを介してアクセスされないインターネット接続を備える［５７］に記載の方法。
［５９］  前記判断が、前記パケットを受信するためにアクセス・ポイントにアクセスすべきかどうかを判断することを備える［５３］に記載の方法。
［６０］  前記判断が、所与のタイプのパケットを受信すべきかどうかを指示する、前記アクセス端末のユーザ入力デバイスからの信号に基づく、［５３］に記載の方法。
［６１］  アクセス端末においてページを受信するように構成されたページング・コントローラであって、前記ページがパケットのパケットタイプの指示を備える、ページング・コントローラと、
前記パケットタイプに基づいて前記パケットを受信すべきかどうかを判断するように構成されたパケットプロセッサと、
を備える通信のための装置。
［６２］  前記指示は、前記パケットがユニキャスト・パケットであるのか、または非ユニキャスト・パケットであるのかを指示する［６１］に記載の装置。
［６３］  前記指示が、前記パケットをローカル・ネットワークを介して受信するのか、またはセルラー・ネットワークを介して受信するのかを指示する［６１］に記載の装置。
［６４］  前記判断が、前記パケットを受信するためにアクセス・ポイントにアクセスすべきかどうかを判断することを備える［６１］に記載の装置。
［６５］  アクセス端末においてページを受信するための手段であって、前記ページがパケットのパケットタイプの指示を備える、受信するための手段と、
前記パケットタイプに基づいて前記パケットを受信すべきかどうかを判断するための手段と、
を備える通信のための装置。
［６６］  前記指示は、前記パケットがユニキャスト・パケットであるのか、または非ユニキャスト・パケットであるのかを指示する［６５］に記載の装置。
［６７］  前記指示が、前記パケットをローカル・ネットワークを介して受信するのか、またはセルラー・ネットワークを介して受信するのかを指示する［６５］に記載の装置。
［６８］  前記判断が、前記パケットを受信するためにアクセス・ポイントにアクセスすべきかどうかを判断することを備える［６５］に記載の装置。
［６９］  アクセス端末においてページを受信することであって、前記ページがパケットのパケットタイプの指示を備える、受信することと、
前記パケットタイプに基づいて前記パケットを受信すべきかどうかを判断することと
をコンピュータに行わせるためのコードを備えるコンピュータ可読媒体を備えるコンピュータプログラム製品。
［７０］  前記指示は、前記パケットがユニキャスト・パケットであるのか、または非ユニキャスト・パケットであるのかを指示する［６９］に記載のコンピュータプログラム製品。
［７１］  前記指示が、前記パケットをローカル・ネットワークを介して受信するのか、またはセルラー・ネットワークを介して受信するのかを指示する［６９］に記載のコンピュータプログラム製品。
［７２］  前記判断が、前記パケットを受信するためにアクセス・ポイントにアクセスすべきかどうかを判断することを備える［６９］に記載のコンピュータプログラム製品。
【図１】
0005431470.tif 000002
【図２】
0005431470.tif 000003
【図３】
0005431470.tif 000004
【図４】
0005431470.tif 000005
【図５】
0005431470.tif 000006
【図６】
0005431470.tif 000007
【図７】
0005431470.tif 000008
【図８】
0005431470.tif 000009
【図９】
0005431470.tif 000010
【図１０】
0005431470.tif 000011
【図１１】
0005431470.tif 000012
【図１２】
0005431470.tif 000013
【図１３】
0005431470.tif 000014
【図１４】
0005431470.tif 000015
【図１５】
0005431470.tif 000016
【図１６】
0005431470.tif 000017
【図１７】
0005431470.tif 000018
【図１８】
0005431470.tif 000019
【図１９】
0005431470.tif 000020
【図２０】
0005431470.tif 000021
【図２１】
0005431470.tif 000022